(57)【要約】【課題】簡単に支払手続をおこなうこと。【解決手段】支払支援サーバ１１１は、第１取得部５０１と、特定部５０２と、第２取得部５０３と、実行部５０４とを有する。第１取得部５０１は、支払人から受け付けた支払人の生体情報を取得する。特定部５０２は、第１取得部５０１によって取得された生体情報に対応する口座情報を特定する。第２取得部５０３は、支払人から受け付けた認証情報を取得する。実行部５０４は、第２取得部５０３によって取得された支払人の認証情報を用いた認証に成功した場合、特定部５０２によって特定された口座情報が示す口座から、あらかじめ指定される受取人の口座へ所定の金額を移動させる処理を実行させる。【選択図】図５
2019174873.tif 000002
【特許請求の範囲】
【請求項１】
支払人から受け付けた前記支払人の生体情報を取得する第１取得手段と、
前記第１取得手段によって取得された前記生体情報に対応する口座情報を特定する特定手段と、
前記支払人から受け付けた認証情報を取得する第２取得手段と、
前記第２取得手段によって取得された前記認証情報を用いた認証に成功した場合、前記特定手段によって特定された前記口座情報が示す口座から、あらかじめ指定される受取人の口座へ所定の金額を移動させる処理を実行させる実行手段と、
を有することを特徴とする支払支援装置。
【請求項２】
前記第１取得手段は、前記受取人が有する受取人端末から送信された前記生体情報を取得する、ことを特徴とする請求項１に記載の支払支援装置。
【請求項３】
前記口座情報は、前記支払人が有する支払人端末のアドレス情報を含み、
前記特定手段は、前記第１取得手段によって取得された前記生体情報に対応するアドレス情報が示す支払人端末を特定し、
前記特定手段によって特定された前記支払人端末に前記所定の金額の支払要求をおこなう要求手段をさらに有し、
前記第２取得手段は、前記要求手段による前記支払要求がおこなわれた後に、前記支払人端末から送信された前記認証情報を取得する、
ことを特徴とする請求項１または２に記載の支払支援装置。
【請求項４】
前記要求手段は、前記支払要求をおこなった後、所定期間が経過するまでに、前記実行手段による前記処理が実行されない場合、前記支払人端末に再び前記支払要求をおこなうことを特徴とする請求項３に記載の支払支援装置。
【請求項５】
前記認証情報は、前記生体情報と同じ情報であることを特徴とする請求項１〜４のいずれか一つに記載の支払支援装置。
【請求項６】
前記特定手段によって前記口座情報が特定されない場合に、前記口座情報が特定されない旨を示すエラー情報を所定の端末に出力させる出力制御手段をさらに有することを特徴とする請求項１〜５のいずれか一つに記載の支払支援装置。
【請求項７】
前記口座情報は、前記支払人の氏名の情報を含み、
前記特定手段は、前記第１取得手段によって取得された前記生体情報に対応する支払人の氏名の情報を特定し、
前記出力制御手段は、前記特定手段によって特定された前記支払人の氏名の情報を用いて作成された名簿情報を所定の端末に出力させる、
ことを特徴とする請求項６に記載の支払支援装置。
【請求項８】
前記出力制御手段は、前記実行手段による前記処理が実行された場合に、支払が完了した旨の情報を所定の端末に出力させることを特徴とする請求項６または７に記載の支払支援装置。
【請求項９】
支払人から受け付けた前記支払人の生体情報を取得し、
取得した前記生体情報に対応する口座情報を特定し、
前記支払人から受け付けた認証情報を取得し、
取得した前記認証情報を用いた認証に成功した場合、特定した前記口座情報が示す口座から、あらかじめ指定される受取人の口座へ所定の金額を移動させる処理を実行させる、
処理をコンピュータが実行することを特徴とする支払支援方法。
【請求項１０】
支払人から受け付けた前記支払人の生体情報を取得し、
取得した前記生体情報に対応する口座情報を特定し、
前記支払人から受け付けた認証情報を取得し、
取得した前記認証情報を用いた認証に成功した場合、特定した前記口座情報が示す口座から、あらかじめ指定される受取人の口座へ所定の金額を移動させる処理を実行させる、
処理をコンピュータに実行させることを特徴とする支払支援プログラム。
【発明の詳細な説明】
【技術分野】
【０００１】
この発明は、口座間で所定の金額を移動させる支払支援装置、支払支援方法、および支払支援プログラムに関する。
【背景技術】
【０００２】
従来、宴会やパーティなど複数の参加者が集うイベントにおいて、イベントの幹事が参加者から参加費を徴収して、取りまとめて費用を支払うことがおこなわれる。参加者から費用を徴収する方法としては、たとえば、現金による受け渡しや、事前または後日の振込による方法などがある。
【０００３】
また、宴会の日時や場所の決定にあたり、参加者が選択した宴会の日時の情報と、飲食店の候補に対する客観的な評価の情報（お店の点数）とを受信して加算し、回答の締め切り後に、幹事が決定した飲食店に予約の電子メールを送信し、当該飲食店の情報と日時とを参加者に送信するシステムがある（たとえば、下記特許文献１参照。）。
【先行技術文献】
【特許文献】
【０００４】
【特許文献１】特開２００６−３２３８０５号公報
【発明の概要】
【発明が解決しようとする課題】
【０００５】
しかしながら、従来技術では、支払人（参加者）が振込によって費用を支払う場合、支払人は、受取人（幹事）の口座情報を入手して、支払人の端末装置や金融機関の端末装置に口座番号などを入力して、振込をおこなうため、支払手続に手間がかかる、という問題があった。また、後日の振込の場合に、参加者が振込みを忘れてしまうなど、徴収しそこなうことがあり、幹事の作業的負担および金銭的負担がかかってしまうという問題点があった。
【０００６】
この発明は、上述した従来技術による問題点を解消するため、簡単に支払手続をおこなうことができる支払支援装置、支払支援方法、および支払支援プログラムを提供することを目的とする。
【課題を解決するための手段】
【０００７】
上述した課題を解決し、目的を達成するため、この発明にかかる支払支援装置は、支払人から受け付けた前記支払人の生体情報を取得する第１取得手段と、前記第１取得手段によって取得された前記生体情報に対応する口座情報を特定する特定手段と、前記支払人から受け付けた認証情報を取得する第２取得手段と、前記第２取得手段によって取得された前記認証情報を用いた認証に成功した場合、前記特定手段によって特定された前記口座情報が示す口座から、あらかじめ指定される受取人の口座へ所定の金額を移動させる処理を実行させる実行手段と、を有することを特徴とする。
【０００８】
また、この発明にかかる支払支援装置は、上記発明において、前記第１取得手段は、前記受取人が有する受取人端末から送信された前記生体情報を取得する、ことを特徴とする。
【０００９】
また、この発明にかかる支払支援装置は、上記発明において、前記口座情報は、前記支払人が有する支払人端末のアドレス情報を含み、前記特定手段は、前記第１取得手段によって取得された前記生体情報に対応するアドレス情報が示す支払人端末を特定し、前記特定手段によって特定された前記支払人端末に前記所定の金額の支払要求をおこなう要求手段をさらに有し、前記第２取得手段は、前記要求手段による前記支払要求がおこなわれた後に、前記支払人端末から送信された前記認証情報を取得する、ことを特徴とする。
【００１０】
また、この発明にかかる支払支援装置は、上記発明において、前記要求手段は、前記支払要求をおこなった後、所定期間が経過するまでに、前記実行手段による前記処理が実行されない場合、前記支払人端末に再び前記支払要求をおこなうことを特徴とする。
【００１１】
また、この発明にかかる支払支援装置は、上記発明において、前記認証情報は、前記生体情報と同じ情報であることを特徴とする。
【００１２】
また、この発明にかかる支払支援装置は、上記発明において、前記特定手段によって前記口座情報が特定されない場合に、前記口座情報が特定されない旨を示すエラー情報を所定の端末に出力させる出力制御手段をさらに有することを特徴とする。
【００１３】
また、この発明にかかる支払支援装置は、上記発明において、前記口座情報は、前記支払人の氏名の情報を含み、前記特定手段は、前記第１取得手段によって取得された前記生体情報に対応する支払人の氏名の情報を特定し、前記出力制御手段は、前記特定手段によって特定された前記支払人の氏名の情報を用いて作成された名簿情報を所定の端末に出力させる、ことを特徴とする。
【００１４】
また、この発明にかかる支払支援装置は、上記発明において、前記出力制御手段は、前記実行手段による前記処理が実行された場合に、支払が完了した旨の情報を所定の端末に出力させることを特徴とする。
【００１５】
また、この発明にかかる支払支援方法は、支払人から受け付けた前記支払人の生体情報を取得し、取得した前記生体情報に対応する口座情報を特定し、前記支払人から受け付けた認証情報を取得し、取得した前記認証情報を用いた認証に成功した場合、特定した前記口座情報が示す口座から、あらかじめ指定される受取人の口座へ所定の金額を移動させる処理を実行させる、処理をコンピュータが実行することを特徴とする。
【００１６】
また、この発明にかかる支払支援プログラムは、支払人から受け付けた前記支払人の生体情報を取得し、取得した前記生体情報に対応する口座情報を特定し、前記支払人から受け付けた認証情報を取得し、取得した前記認証情報を用いた認証に成功した場合、特定した前記口座情報が示す口座から、あらかじめ指定される受取人の口座へ所定の金額を移動させる処理を実行させる、処理をコンピュータに実行させることを特徴とする。
【発明の効果】
【００１７】
この発明にかかる支払支援装置、支払支援方法、および支払支援プログラムによれば、簡単に支払手続をおこなうことができる、という効果を奏する。
【図面の簡単な説明】
【００１８】
【図１】図１は、実施の形態にかかる支払支援システム１００のシステム構成例を示す説明図である。
【図２Ａ】図２Ａは、支払支援サーバ１１１および銀行サーバ１１３のハードウエア構成の一例を示すブロック図である。
【図２Ｂ】図２Ｂは、受取人端末１２１および支払人端末１３１のハードウエア構成の一例を示すブロック図である。
【図３Ａ】図３Ａは、口座情報データベース（ＤＢ）１１４の記憶内容の一例を示す説明図である。
【図３Ｂ】図３Ｂは、精算情報データベース（ＤＢ）１１２の記憶内容の一例を示す説明図である。
【図４】図４は、本実施の形態にかかる支払支援サーバ１１１による支払支援方法の一例を示す図である。
【図５】図５は、支払支援サーバ１１１の機能的構成を示す説明図である。
【図６】図６は、受取人端末１２１に表示される操作画面の一例を示す説明図（その１）である。
【図７】図７は、受取人端末１２１に表示される操作画面の一例を示す説明図（その２）である。
【図８】図８は、受取人端末１２１に表示される参加者を登録するための画面の一例を示す説明図である。
【図９Ａ】図９Ａは、受取人端末１２１に表示される登録完了画面の一例を示す説明図である。
【図９Ｂ】図９Ｂは、受取人端末１２１に表示されるエラー画面の一例を示す説明図である。
【図１０】図１０は、受取人端末１２１に表示される管理者画面の入力例を示す説明図である。
【図１１】図１１は、受取人端末１２１に表示される管理者画面の入力例を示す説明図である。
【図１２】図１２は、受取人端末１２１に表示される配分画面の一例を示す説明図である。
【図１３】図１３は、受取人端末１２１に表示される支払状況確認画面の一例を示す説明図である。
【図１４】図１４は、支払人端末１３１に表示される請求画面の一例を示す説明図である。
【図１５】図１５は、支払人端末１３１に表示される支払手続完了画面の一例を示す説明図である。
【図１６】図１６は、受取人端末１２１がおこなう支払人の参加受付処理手順の一例を示すフローチャートである。
【図１７】図１７は、支払支援サーバ１１１がおこなう支払人の登録処理手順の一例を示すフローチャートである。
【図１８】図１８は、支払支援サーバ１１１がおこなう支払要求処理手順の一例を示すフローチャートである。
【図１９】図１９は、支払人端末１３１がおこなう支払受付処理手順の一例を示すフローチャートである。
【図２０】図２０は、支払支援サーバ１１１がおこなう振込処理手順の一例を示すフローチャートである。
【図２１】図２１は、支払支援サーバ１１１がおこなう振込処理手順の一例を示すフローチャートである。
【図２２】図２２は、支払人端末１３１がおこなう参加受付処理手順の一例を示すフローチャートである。
【図２３】図２３は、支払支援サーバ１１１の機能的構成の他の一例を示す説明図である。
【図２４】図２４は、支払支援サーバ１１１がおこなう一連の処理の他の一例を示すフローチャートである。
【発明を実施するための形態】
【００１９】
以下に図面を参照して、この発明にかかる支払支援装置、支払支援方法、および支払支援プログラムの実施の形態を詳細に説明する。
【００２０】
（支払支援システムのシステム構成）
まず、実施の形態にかかる支払支援システム１００のシステム構成例について説明する。図１は、実施の形態にかかる支払支援システム１００のシステム構成例を示す説明図である。図１において、支払支援システム１００は、支払支援サーバ１１１と、銀行サーバ１１３と、受取人端末１２１と、支払人端末１３１と、を有する。
【００２１】
支払支援サーバ１１１は、この発明にかかる支払支援装置の一例であり、たとえば、支払支援サービスを提供する会社に設けられるサーバである。支払支援サーバ１１１は、イベントごとに振込による支払を管理する汎用的なコンピュータ装置である。支払支援サーバ１１１は、たとえば、ＣＰＵ（Ｃｅｎｔｒａｌ  Ｐｒｏｃｅｓｓｉｎｇ  Ｕｎｉｔ）やメモリやインタフェースなどを有するパーソナルコンピュータである。支払支援サーバ１１１は、精算情報データベース（ＤＢ）１１２を有する。精算情報ＤＢ１１２の記憶内容については、図３Ｂを用いて後述する。
【００２２】
銀行サーバ１１３は、たとえば、銀行などの金融機関に設けられるサーバである。銀行サーバ１１３は、受取人や支払人の口座を管理する汎用的なコンピュータ装置である。銀行サーバ１１３は、ＣＰＵやメモリやインタフェースなどを有するパーソナルコンピュータである。また、銀行サーバ１１３は、口座情報データベース（ＤＢ）１１４を有する。口座情報ＤＢ１１４の記憶内容については、図３Ａを用いて後述する。
【００２３】
受取人端末１２１は、たとえば、宴会などのイベントにおいて幹事（受取人）が有するコンピュータ装置である。受取人端末１２１には、たとえば、スマートフォンやタブレット型ＰＣ（Ｐｅｒｓｏｎａｌ  Ｃｏｍｐｕｔｅｒ）が用いられる。
【００２４】
支払人端末１３１は、たとえば、宴会などのイベントに参加する参加者（支払人）が有するコンピュータ装置である。支払人端末１３１には、たとえば、スマートフォンやタブレット型ＰＣが用いられる。受取人端末１２１や支払人端末１３１は、ＣＰＵやメモリやインタフェースなどを有する。
【００２５】
ただし、受取人端末１２１や支払人端末１３１は、スマートフォンやタブレット型ＰＣに限らず、デスクトップ型ＰＣ、ノート型ＰＣ、タブレット型ＰＣなどの各種ＰＣ、携帯電話機、ＰＨＳ（Ｐｅｒｓｏｎａｌ  Ｈａｎｄｙｐｈｏｎｅ  Ｓｙｓｔｅｍ）とすることも可能である。
【００２６】
支払支援システム１００において、支払支援サーバ１１１と、銀行サーバ１１３と、受取人端末１２１と、支払人端末１３１とは、有線または無線のネットワーク１４０を介して接続される。ネットワーク１４０は、たとえば、インターネット、移動体通信網などである。ただし、ネットワーク１４０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などであってもよい。
【００２７】
また、支払支援サーバ１１１には、この発明にかかる支払支援プログラムがインストールされている。支払支援サーバ１１１は、銀行サーバ１１３や、受取人端末１２１や、支払人端末１３１からの各種要求に応じた処理をおこなって、受取人端末１２１や支払人端末１３１に対して各種処理結果を出力する。
【００２８】
（支払支援サーバ１１１および銀行サーバ１１３のハードウエア構成の一例）
つぎに、支払支援サーバ１１１および銀行サーバ１１３について、その具体的な構成の一例を説明する。図２Ａは、支払支援サーバ１１１および銀行サーバ１１３のハードウエア構成の一例を示すブロック図である。なお、支払支援サーバ１１１および銀行サーバ１１３は、いずれも同様の構成であるため、以下においては支払支援サーバ１１１について説明することとし、銀行サーバ１１３についての説明を省略することとする。
【００２９】
図２Ａにおいて、支払支援サーバ１１１を実現するコンピュータ装置は、ＣＰＵ２１１と、メモリ２１２と、通信ＩＦ（Ｉｎｔｅｒｆａｃｅ）２１３と、を備える。コンピュータ装置が備える各部２１１〜２１３は、バス２１０によってそれぞれ接続されている。ＣＰＵ２１１は、コンピュータ装置の全体の制御をつかさどる。
【００３０】
メモリ２１２は、ブートプログラムなどのプログラムや、各種のデータベースのデータなどを記憶する。また、メモリ２１２は、支払支援プログラムや各種データベースの一部のデータなど、本実施の形態の支払支援方法にかかる各種のプログラムやデータを記憶する。
【００３１】
また、メモリ２１２は、ＣＰＵ２１１のワークエリアとして使用される。また、メモリ２１２は、各種データを記録する記録媒体であってもよい。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００３２】
通信ＩＦ２１３は、ネットワーク１４０に接続され、コンピュータ装置の内部と、受取人端末１２１や支払人端末１３１などの外部装置とのインタフェースをつかさどる。具体的には、通信ＩＦ２１３は、コンピュータ装置の内部と外部装置との間におけるデータの入出力を制御する。
【００３３】
（受取人端末１２１および支払人端末１３１のハードウエア構成の一例）
つぎに、受取人端末１２１および支払人端末１３１のハードウエア構成の一例を説明する。図２Ｂは、受取人端末１２１および支払人端末１３１のハードウエア構成の一例を示すブロック図である。なお、受取人端末１２１および支払人端末１３１は、いずれも同様の構成であるため、以下においては、受取人端末１２１について説明することとし、支払人端末１３１についての説明を省略することとする。
【００３４】
図２Ｂにおいて、受取人端末１２１は、ＣＰＵ２２１と、メモリ２２２と、出力デバイス２２３と、入力デバイス２２４と、通信ＩＦ２２５と、を備えている。また、受取人端末１２１が備える各構成部２２１〜２２５は、バス２２０によってそれぞれ接続されている。
【００３５】
ＣＰＵ２２１は、受取人端末１２１の全体の制御をつかさどる。ＣＰＵ２２１は、メモリ２２２が記憶する各種のプログラムやデータを用いて、受取人端末１２１の全体の制御をつかさどる。メモリ２２２は、ＲＯＭ、ＲＡＭ、ＨＤＤ、ＨＤおよびフラッシュメモリなどによって実現することができる。
【００３６】
出力デバイス２２３は、たとえば、ディスプレイ、スピーカ、音声出力端子などを含む。ディスプレイは、操作内容や、ユーザに対する案内情報などを表示する。ディスプレイは、支払支援サービスにかかる各種の操作画面を表示する。ディスプレイは、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００３７】
また、スピーカは、音声、アラーム音などを出力する。音声出力端子は、ヘッドフォーンなどを接続する端子であり、スピーカと同様に、音声、アラーム音などを接続されたヘッドフォーンなどに出力する。
【００３８】
入力デバイス２２４は、文字、数値、各種指示などの入力のためのキーを備え、データ入力をおこなう。入力デバイス２２４は、たとえば、タッチパネルやキーボードなどによって実現することができる。タッチパネルやキーボードなどによって実現される入力デバイス２２４は、当該入力デバイス２２４に対する入力操作に応じた信号をＣＰＵ２２１に対して出力する。
【００３９】
入力デバイス２２４をタッチパネルによって実現する場合、当該タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００４０】
また、入力デバイス２２４は、カメラを含む。カメラは、静止画や動画を撮像する。具体的には、たとえば、カメラは、ＣＰＵ２２１によって制御されて撮像対象を撮像し、画像データを生成したり、バーコードやＱＲコード（登録商標）といった二次元コードを撮影して入力したり、ＯＣＲ（Ｏｐｔｉｃａｌ  Ｃｈａｒａｃｔｅｒ  Ｒｅａｄｅｒ）機能を用いて撮影した文字をデータ化して入力することができる。
【００４１】
また、入力デバイス２２４は、マイクを含む。マイクは、アナログデータとして入力された話者の声をアナログ／デジタル変換し、デジタル形式の音声データを生成する。マイクを用いることにより、ユーザは、受取人端末１２１を介して、タッチパネルやキーボードを用いる代わりに、文字などの入力をおこなうことができる。
【００４２】
また、入力デバイス２２４は、生体情報を読み取るスキャナやセンサを含む。生体情報は、詳細については後述するが、指紋、掌形、顔、血管、網膜、虹彩、声紋などの情報を含む。
【００４３】
通信ＩＦ２２５は、受取人端末１２１の内部と、支払支援サーバ１１１や支払人端末１３１などの外部装置とのインタフェースをつかさどる。また、通信ＩＦ２２５は、電話回線網に接続され、音声通信に際して用いられることとしてもよい。
【００４４】
（各種ＤＢ１１２，１１４の記憶内容）
つぎに、図３Ａおよび図３Ｂを用いて、図１に示した支払支援サーバ１１１が有する精算情報データベース（ＤＢ）１１２および銀行サーバ１１３が有する口座情報データベース（ＤＢ）１１４の記憶内容について説明する。各種ＤＢ１１２，１１４は、たとえば、メモリなどの記憶部により実現される。
【００４５】
図３Ａは、口座情報データベース（ＤＢ）１１４の記憶内容の一例を示す説明図である。図３Ａにおいて、口座情報データベース１１４は、ユーザＩＤ（Ｉｄｅｎｔｉｆｉｃａｔｉｏｎ）、氏名、住所、端末情報、金融機関コード、支店番号、口座番号、残額、および認証情報のフィールドを有する。各フィールドに情報を設定することで、口座情報（たとえば、口座情報３００−１〜３００−３）のレコードが記憶される。
【００４６】
ユーザＩＤは、受取人や支払人などの利用者ごとに付される識別情報を示す。氏名は、銀行口座の名義人（利用者）の氏名を示す。住所は、銀行口座の名義人の住所を示す。端末情報は、銀行口座の名義人が有する端末装置のアドレスである。金融機関コードは、金融機関ごとに割り当てられたコードである。支店番号は、金融機関の本支店に割り当てられた番号である。口座番号は、口座に割り当てられた番号である。残額は、口座内の残額である。認証情報は、生体認証において登録された生体情報や、パスワード認証における登録された番号などを含む。
【００４７】
たとえば、口座情報３００−１は、ユーザＩＤ「Ｕ００１」、氏名「総研総太郎」、住所「東京都…」、端末情報「ａａａ・・・＠ｘｘｘ」、金融機関コード「００００」、支店番号「３４５」、口座番号「４５６…」、残額「￥１５０，６８９」、認証情報「データ○○」を示す。また、口座情報３００−１以外の口座情報３００−２，３００−３についても、同様に、口座情報ＤＢ１１４に記憶される。
【００４８】
図３Ｂは、精算情報データベース（ＤＢ）１１２の記憶内容の一例を示す説明図である。図３Ｂにおいて、精算情報ＤＢ１１２は、精算ＩＤ、ユーザＩＤ、氏名、端末情報、口座番号、残額、認証情報、振込先口座番号、支払金額、支払有無、および支払日時のフィールドを有する。各フィールドに情報を設定することで、精算情報（たとえば、精算情報３１０−１〜３１０−３）のレコードが記憶される。
【００４９】
精算ＩＤは、支払（精算）ごとに付される識別情報を示す。ユーザＩＤは、受取人や支払人などの利用者ごとに付される識別情報を示し、口座情報ＤＢ１１４（図３Ａ参照）に記憶されるユーザＩＤと同一である。そのため、精算情報３１０は、口座情報ＤＢ１１４の口座情報３００に対応付けられる。
【００５０】
また、精算情報ＤＢ１１２において、氏名、端末情報、口座番号、残額、および認証情報は、口座情報ＤＢ１１４の口座情報３００に含まれるものと同一である。振込先口座番号は、受取人（幹事）の口座番号である。支払金額は、受取人に支払う金額を示す。支払有無は、受取人への支払の有無（済みか否か）を示す。支払日時は、受取人への支払手続が完了した日時を示す。
【００５１】
たとえば、精算情報３１０−１は、精算ＩＤ「Ｓ００１」、ユーザＩＤ「Ｕ００１」、氏名「総研総太郎」、端末情報「ａａａ・・・＠ｘｘｘ」、口座番号「４５６…」、残額「￥１５０，６８９」、認証情報「データ○○」、振込先口座番号「１２３…」、支払金額「￥５，０００」、支払有無「あり」、支払日時「１０／２８  ２３：５２」を示す。また、精算情報３１０−１以外の精算情報３１０−２，３１０−３についても、同様に、精算情報ＤＢ１１２に記憶される。
【００５２】
（支払支援サーバ１１１による支払支援方法）
つぎに、図４を用いて、本実施の形態にかかる支払支援サーバ１１１による支払支援方法について説明する。図４は、本実施の形態にかかる支払支援サーバ１１１による支払支援方法の一例を示す図である。以下に示す括弧書きの番号は、図４に示す括弧書きの番号と対応する。
【００５３】
図４に示すように、たとえば、居酒屋などのイベント会場４００において、宴会などのイベントがおこなわれたとする。宴会には、受取人端末１２１を有する受取人（幹事）と、支払人端末１３１を有する複数の支払人（参加者）とが参加するものとする。イベント会場４００において、幹事は、受取人端末１２１を操作し、指紋を受け付ける受付画面４１０を表示させる。
【００５４】
（１）幹事は、参加者を促し、参加者一人一人から受取人端末１２１に指をかざしてもらい指紋の情報および当該指紋の情報が対応付けられる銀行口座の情報を受け付ける。そして、受取人端末１２１は、受付画面４１０において受け付けた指紋の情報を支払支援サーバ１１１へ送信する。（２）そして、支払支援サーバ１１１は、支払人ごとに指定される銀行サーバ１１３にアクセスして、支払人の指紋に対応付けられた口座情報を特定する。
【００５５】
（３）また、支払支援サーバ１１１は、支払人の指紋の情報から、支払人の氏名を示す情報についても特定することにより、名簿情報（参加者の名簿）を作成する。支払支援サーバ１１１が作成した名簿情報は、受取人端末１２１に送信される。これにより、受取人端末１２１は、名簿情報を表示することができる。
【００５６】
そして、宴会が終了したとする。たとえば、宴会の代金が１０万円であり、一人当たりの代金が５，０００円であったとする。（４）支払支援サーバ１１１は、各支払人端末１３１に、代金５，０００円の支払要求と、認証要求をおこなう。認証要求は、たとえば、指紋による認証要求である。
【００５７】
支払人が支払人端末１３１を操作すると、支払人端末１３１には指紋を受け付ける受付画面４２０が表示される。（５）支払人が支払人端末１３１に指をかざすと、支払人端末１３１は、受け付けた指紋の情報および振込を承諾した旨の情報を支払支援サーバ１１１へ送信する。
【００５８】
そして、支払支援サーバ１１１は、支払人端末１３１から、振込を承諾する旨を示す指紋の情報を受信すると、（６）支払人の口座から、あらかじめ指定された受取人の口座に所定の額の参加費の振込がおこなわれる。
【００５９】
このように、支払支援サーバ１１１による支払支援方法では、イベント会場において支払人が受取人端末１２１を介して指紋認証するだけで、簡単に、イベントへの参加の登録をおこなうことができる。また、受取人端末１２１に名簿情報を表示することにより、受取人（幹事）は、名簿情報を閲覧するだけで、参加者や参加者の人数を把握することができる。これにより、イベント参加者の人数の把握にかかる幹事の労力を軽減することができる。
【００６０】
また、イベントの終了後には、支払人が支払人端末１３１を介して指紋認証するだけで、振込を完了させることができる。このため、支払人は、簡単に、迅速に、的確に、支払手続をおこなうことができる。また、受取人の口座に関する情報の開示を不要とすることができるため、受取人は、安心して取引をおこなうことができる。
【００６１】
（支払支援サーバ１１１の機能的構成）
図５は、支払支援サーバ１１１の機能的構成を示す説明図である。図５において、支払支援サーバ１１１は、第１取得部５０１と、特定部５０２と、第２取得部５０３と、実行部５０４と、作成部５０５と、要求部５０６と、出力制御部５０７と、第３取得部５０８と、算出部５０９とを備える。各部５０１〜５０８は、たとえば、支払支援サーバ１１１のメモリ２１２（図２Ａ参照）に記憶されたプログラムをＣＰＵ２１１に実行させることにより、その機能を実現する。
【００６２】
第１取得部５０１は、支払人から受け付けた支払人の生体情報を取得する。支払人から受け付けた支払人の生体情報は、参加登録をおこなうための生体情報であり、たとえば、支払人の能動的な行為に起因して得られる情報である。言い換えれば、支払人から受け付けた支払人の生体情報は、支払人が意図せずに撮影された顔情報（顔写真）などの生体情報を含まないこととする。
【００６３】
また、支払人の生体情報は、各銀行の口座情報に対応付けられる認証情報である。たとえば、支払人の生体情報は、支払人の指紋の情報である。ただし、支払人の生体情報は、支払人の指紋の情報に限らず、支払人の、掌形、顔、血管、網膜、虹彩、声紋など他の生体情報としてもよい。
【００６４】
また、第１取得部５０１は、支払人の生体情報とともに、当該生体情報に対応付けられる口座がどの銀行の口座であるかを示す銀行の情報も取得する。銀行の情報の取得方法は、たとえば、受取人端末１２１の表示画面上に、銀行ごとに異なる受付領域を表示して指紋情報を受け付けて受付領域の情報を受取人端末１２１から受信することにより、当該受付領域の情報が示す銀行の情報を取得することが可能である。また、この方法に限らず、指紋認証の受付とは別に、支払人から操作入力等によって入力された銀行の情報を取得することも可能である。
【００６５】
特定部５０２は、第１取得部５０１によって取得された生体情報に対応する口座情報を特定する。特定部５０２は、たとえば、第１取得部５０１によって取得された銀行の情報が示す銀行サーバ１１３に、生体情報に対応する口座情報の有無を問い合わせることにより口座情報を特定する。
【００６６】
第２取得部５０３は、支払人から受け付けた認証情報を取得する。支払人から受け付けた認証情報は、たとえば、所定の金額の振込を承諾するため支払人の認証情報である。また、認証情報は、支払人固有の情報であってもよい。本実施の形態において、認証情報は、たとえば、第１取得部５０１によって取得される生体情報と同じ情報であり、具体的には、支払人の口座情報に対応付けられる指紋の情報である。また、認証情報は、暗証番号としてもよいし、掌形、顔、血管、網膜、虹彩、声紋などの指紋以外の生体情報としてもよい。また、認証情報を、支払を承諾する旨のボタンの押下などによって取得される支払許可情報としてもよい。
【００６７】
実行部５０４は、第２取得部５０３によって取得された支払人の認証情報を用いた認証に成功した場合、特定部５０２によって特定された口座情報が示す支払人の口座から、あらかじめ指定される受取人の口座へ所定の金額を移動させる処理を実行させる。口座情報は、各銀行の銀行サーバ１１３に記憶される。口座情報は、支払人の氏名の情報、口座番号、支払人端末１３１のアドレス情報などを含む（図３Ａの口座情報３００を参照）。
【００６８】
所定の金額を移動させる処理は、振込をおこなわせる処理である。たとえば、実行部５０４は、銀行サーバ１１３に対して、支払人の口座から受取人の口座へ所定の額の振込を実行させる。受取人の口座は、受取人があらかじめ指定する口座であり、たとえば、受取人の口座である。所定の金額は、イベントにおける参加費である。所定の金額は、たとえば、イベントに要した費用を、イベントにおける参加者の人数で案分した額である。
【００６９】
つぎに、支払人の生体情報を受け付ける端末について説明する。本実施の形態において、支払人の生体情報を受け付ける端末は、受取人端末１２１とする。第１取得部５０１は、受取人が有する受取人端末１２１から送信された支払人の生体情報を取得する。具体的には、第１取得部５０１は、受取人が有する受取人端末１２１の受付部によって受け付けられた支払人の生体情報を取得する。受取人端末１２１の受付部は、生体情報を読み取るスキャナやセンサである。第１取得部５０１は、受取人端末１２１が受け付けた支払人の生体情報を、受取人端末１２１から受信することによって取得する。
【００７０】
ただし、支払人の生体情報を受け付ける端末は、受取人端末１２１に限らず、支払人端末１３１とすることも可能である。この場合、第１取得部５０１は、支払人端末１３１から送信された生体情報を取得する。また、支払人の生体情報を受け付ける端末をそれぞれの支払人自身の支払人端末１３１としてもよく、第１取得部５０１がそれぞれの支払人端末１３１から送信された生体情報を取得するようにしてもよい。このようにすれば、それぞれの支払人は、自身の生体情報を支払支援サーバ１１１へ送信するために他人の端末を触れずに済むようになる。したがって、支払支援サーバ１１１は、生体情報の漏えいや衛生面などを理由に他人の端末を触れることに抵抗を感じる支払人の生体情報も得やすくなる。また、この場合、たとえば、不図示の参加要求部が、あらかじめ登録されたアドレス情報が示す支払人端末１３１に、参加の可否についての要求情報（イベントの案内）を送信してもよい。さらに、第１取得部５０１が、支払人端末１３１から送信された生体情報を取得した場合に、支払支援サーバ１１１は、当該支払人人端末１３１に対応する支払人の参加登録をおこなうこととしてもよい。
【００７１】
つぎに、支払人への支払の要求について説明する。本実施の形態において、特定部５０２は、第１取得部５０１によって取得された生体情報に対応するアドレス情報が示す支払人端末を特定する。要求部５０６は、特定部５０２によって特定されたアドレス情報が示す支払人端末１３１に所定の金額の支払要求をおこなう。
【００７２】
第２取得部５０３は、要求部５０６による支払要求がおこなわれた後に、支払要求がおこなわれた支払人端末１３１から送信された支払人の認証情報を取得する。支払人端末１３１が認証情報を受け付ける受付部は、支払人の認証情報が入力される入力デバイス２２４（図２Ｂ参照）である。たとえば、支払人の認証情報を生体情報とする場合、支払人端末１３１の受付部は、認証情報を読み取るスキャナやセンサである。また、支払人の認証情報を暗証番号とする場合、支払人端末１３１の受付部は、タッチパネルやキーボードである。第２取得部５０３は、支払人端末１３１が受け付けた支払人の認証情報を、支払人端末１３１から受信することによって取得する。
【００７３】
支払人端末１３１が支払人の認証情報を受け付けることにより、たとえば、イベントの解散後でも支払が可能となる。また、イベント会場のその場で支払を完了させることが可能な場合には、受取人端末１２１を用いて支払人の認証情報を受け付けることも可能である。この場合、受取人端末１２１は、支払人から支払人を特定するための情報（たとえば支払人の生体情報）を用いて支払人ごとの支払額を提示して、支払人ごとに認証情報を受け付ければよい。そして、受取人端末１２１は、受け付けた認証情報を支払支援サーバ１１１に送信する。これにより、支払人が支払人端末１３１を所持していなくても、イベント会場において支払を完了させることができる。
【００７４】
つぎに、支払人への支払の催促について説明する。本実施の形態において、要求部５０６は、支払要求をおこなった後、所定期間が経過するまでに、実行部５０４による所定の金額を移動させる処理が実行されない場合、支払要求をおこなった支払人端末１３１に再び支払要求をおこなう。所定期間は、たとえば、１ヶ月といった期間である。また、要求部５０６が支払要求をおこなうタイミングは、たとえば、支払人の口座に、ある程度の金額があると見込める日としてもよく、具体的には、給料日（たとえば、毎月２５日）の翌日としてもよい。
【００７５】
つぎに、エラー情報の出力について説明する。出力制御部５０７は、特定部５０２によって支払人の生体情報に対応する口座情報が特定されない場合に、口座情報が特定されない旨を示すエラー情報を所定の端末に出力させる。所定の端末は、たとえば、生体情報を受け付けて、当該生体情報を支払支援サーバ１１１に送信した端末装置である。本実施の形態において、所定の端末は、受取人端末１２１である。たとえば、出力制御部５０７は、受取人端末１２１にエラー情報を送信することにより、受取人端末１２１にエラー情報を出力させる。
【００７６】
また、出力制御部５０７は、特定部５０２によって支払人の生体情報に対応する口座情報が特定された場合に、口座情報が特定された旨を示す登録完了情報を所定の端末に出力させる。所定の端末は、受取人端末１２１に限らず、生体情報の受付と送信をおこなった端末装置が支払人端末１３１である場合には、支払人端末１３１とすることも可能である。
【００７７】
また、出力制御部５０７は、特定部５０２によって口座情報が特定された場合でも、当該口座情報が示す口座にあらかじめ定めた金額がない場合に、あらかじめ定めた金額がない旨を示すエラー情報を所定の端末に出力させる。あらかじめ定めた金額は、イベントの費用として予想される金額であり、たとえば、受取人によって任意に設定可能である。一方で、出力制御部５０７は、口座情報が示す口座にあらかじめ定めた金額がある場合に、所定の端末に登録完了情報を出力させる。
【００７８】
つぎに、名簿情報の作成について説明する。本実施の形態において、特定部５０２は、第１取得部５０１によって取得された生体情報に対応する支払人の氏名の情報を特定する。作成部５０５は、特定部５０２によって特定された支払人の氏名の情報を用いて名簿情報を作成する。出力制御部５０７は、作成部５０５によって作成された名簿情報を所定の端末に出力させる。名簿情報が示す名簿には、たとえば、参加者の氏名が列挙される。たとえば、出力制御部５０７は、受取人端末１２１に名簿情報を送信することにより、受取人端末１２１に名簿情報を出力させる。出力制御部５０７が名簿情報を出力させる所定の端末は、名簿情報を閲覧する者（幹事）が有する端末であり、具体的には、受取人端末１２１である。
【００７９】
また、本実施の形態において、出力制御部５０７は、実行部５０４による所定の金額を移動させる処理が実行された場合に、支払が完了した旨の情報を名簿情報に付加して所定の端末に出力させる。作成部５０５は、たとえば、参加者の氏名と、支払の有無とを対応付けた名簿情報を作成する。出力制御部５０７は、たとえば、このような名簿情報を受取人端末１２１に出力させる。これにより、受取人は、支払人ごとに支払が完了したか否かを容易に把握することができる。
【００８０】
つぎに、イベントにおける費用の算出について説明する。本実施の形態において、第３取得部５０８は、イベントにおける費用の情報と、イベントに参加した支払人に関する情報とを取得する。これらの情報は、たとえば、受取人端末１２１が受取人（幹事）から受け付けることにより取得される。イベントにおける費用の情報は、たとえば、イベントにおける総支払額の情報である。支払人に関する情報は、たとえば、イベントに参加した人数の情報である。ただし、支払人に関する情報は、たとえば、年齢、性別、役職、住所など、参加者の属性情報を含んでもよい。
【００８１】
算出部５０９は、第３取得部５０８によって取得された費用の情報と、支払人に関する情報とに基づいて、支払人に応じた支払額を算出する。たとえば、算出部５０９は、均等割や傾斜配分など所定の算出方法により、支払人に応じた支払額を算出する。また、たとえば、算出部５０９は、たとえば、年齢に応じた支払額とするなど、参加者の属性情報を用いた所定の算出方法により、支払人に応じた支払額を算出してもよい。
【００８２】
所定の算出方法は、受取人（幹事）により任意に設定することが可能である。要求部５０６は、第１取得部５０１によって取得された生体情報に対応付けられるアドレス情報が示す支払人端末１３１に、支払人に応じた支払額の支払要求をおこなう。
【００８３】
（受取人端末１２１および支払人端末１３１の表示画面の一例）
つぎに、図６〜図１５を用いて、受取人端末１２１および支払人端末１３１の表示画面の一例について説明する。図６は、受取人端末１２１に表示される操作画面の一例を示す説明図（その１）である。図６の操作画面６００は、既に登録済みのイベントを示す選択ボタン６０１，６０２と、イベントの登録をおこなうための登録ボタン６０３と、を含む。
【００８４】
選択ボタン６０１が示すイベントは、過去におこなわれた１０月１４日の歓迎会のイベントを示す。選択ボタン６０１が選択されると、１０月１４日の歓迎会における支払人の支払状況等を含む名簿情報が表示される。選択ボタン６０２が示すイベントは、これから（本日の１９時から）おこなわれる同期会のイベントを示す。登録ボタン６０３は、他のイベントの登録をおこなうためのボタンである。操作画面６００において、受取人が選択ボタン６０２を選択すると、図７に示す操作画面７００に移行する。
【００８５】
図７は、受取人端末１２１に表示される操作画面の一例を示す説明図（その２）である。図７の操作画面７００は、選択ボタン７０１，７０２を含む。選択ボタン７０１は、参加者（支払人）用の画面に移行するボタンである。選択ボタン７０２は、管理者（受取人）用の画面に移行するボタンである。操作画面７００において、たとえば、選択ボタン７０１が選択されると、図８に示す操作画面８００に移行し、選択ボタン７０２が選択されると、図１０に示す操作画面１０００に移行する。
【００８６】
図８は、受取人端末１２１に表示される参加者を登録するための画面の一例を示す説明図である。図８の登録画面８００は、たとえば、同期会のイベント会場において、イベントの開始前に、参加者によって操作される際の画面を示す。登録画面８００は、少なくとも、イベントにおける費用を口座引落とすることに承諾する旨の通知８０１と、指紋認証欄８０２と、銀行選択ボタン８０３と、送信ボタン８０４と、戻るボタン８０５と、を含む。
【００８７】
指紋認証欄８０２は、銀行ごとに指紋を受け付ける欄が異なる。支払人は、イベントにおける費用を口座引落とすることに承諾する場合、所望の銀行の指紋認証欄８０２に指をかざす。銀行選択ボタン８０３が選択されると、現在表示中の銀行以外の銀行の指紋認証欄８０２が表示される。送信ボタン８０４が選択されると、指紋認証欄８０２に示す銀行の情報とともに、指紋認証欄８０２に入力された指紋の情報が支払支援サーバ１１１に送信される。
【００８８】
登録画面８００において、戻るボタン８０５が選択されると、図７の操作画面７００に戻る。また、登録画面８００において、送信ボタン８０４が選択されると、図９Ａの登録完了画面９００、または、図９Ｂのエラー画面９２０に移行する。
【００８９】
また、上述したように、支払人端末１３１によって支払人の生体情報を受け付けるようにした場合は、たとえば、受取人端末１２１のほか、支払人端末１３１にも操作画面８００が表示されるようにする。このようにした場合に、受取人端末１２１と支払人端末１３１とは、たとえば、公知の画面共有技術などを用いて、共有の操作画面８００を表示する。
【００９０】
そして、このようにした場合、支払人端末１３１は、自端末において、指紋認証欄８０２に指がかざされて送信ボタン８０４が選択されると、たとえば、指紋認証欄８０２に示す銀行の情報とともに、指紋認証欄８０２に入力された指紋の情報を、受取人端末１２１へ送信する。
【００９１】
受取人端末１２１は、支払人端末１３１からこれらの情報を受信すると、あたかも自端末において支払人が指紋認証欄８０２に指をかざした場合と同様に、操作画面８００の表示内容を更新するとともに、支払人端末１３１から受信した情報を支払支援サーバ１１１へ送信する。
【００９２】
また、このようにした場合、図９Ａの登録完了画面９００や図９Ｂのエラー画面９２０も、同様にして、受取人端末１２１のほか、支払人端末１３１に表示されるようにしてもよい。
【００９３】
図９Ａは、受取人端末１２１に表示される登録完了画面の一例を示す説明図である。図９Ａの登録完了画面９００は、参加者の登録が完了した旨の通知９０１と、メニューボタン９０２とを含む。通知９０１により、支払人は、イベントにおける費用を口座引落とするための登録が完了したことを把握することができる。また、メニューボタン９０２が選択されると、たとえば、図６の操作画面６００に戻る。
【００９４】
このように、支払支援サーバ１１１は、参加者が指をかざすだけで、イベントにおける費用を口座引落とすることの承諾を受け付けることができ、また、名簿情報への登録をおこなうことができる。
【００９５】
図９Ｂは、受取人端末１２１に表示されるエラー画面の一例を示す説明図である。図９Ｂのエラー画面９２０は、口座の残額が不足している旨の通知９２１と、メニューボタン９０２とを含む。通知９２１により、支払人は、口座の残額が不足していることを把握することができる。また、エラーの種類によって通知される内容は異なり、たとえば、口座を特定することができない場合にはその旨が通知される。
【００９６】
なお、エラーとなった場合でも、本支払方法を用いるために、たとえば、他の支払人が２名分の支払をおこなうことを許容することとしてもよい。たとえば、図８の登録画面８００において、他の支払人が複数人分の支払を設定することが可能なボタンを表示し、当該ボタンが操作されて人数の指定を受け付けることにより、他の支払人が複数人分の支払をおこなえることとしてもよい。この場合、他の支払人は、たとえば、エラーとなった支払人から、現金等で支払金額を受領すればよい。
【００９７】
図１０は、受取人端末１２１に表示される管理者画面の入力例を示す説明図である。図１０の管理者画面１０００は、たとえば、同期会のイベントの開始時に、幹事が閲覧した画面を示す。管理者画面１０００は、名簿情報１００１と、会費算出ボタン１００２と、戻るボタン１００３とを含む。名簿情報１００１は、会合の名称や、参加者の人数や、参加者氏名（支払人の氏名）を含む。
【００９８】
管理者画面１０００において、会費算出ボタン１００２が選択されると、図１１の入力画面１１００に移行する。また、管理者画面１０００において、戻るボタン１００３が選択されると、図７の操作画面７００に戻る。名簿情報１００１により、受取人（幹事）は、自ら参加者の人数や氏名を確認しなくても、参加者の人数や氏名を容易に把握することができる。
【００９９】
また、名簿情報１００１において、たとえば、それぞれの参加者氏名の近傍（図示の例では右隣）には、その参加者が「費用の口座引落に承諾した」という事実をあらわすために、その参加者の印鑑（印影）を模した画像が表示されるようにしてもよい（たとえば１００１ａを参照）。また、このようにした場合、印鑑を模した画像に代えて、デフォルメされた指紋をあらわす画像が表示されるようにしたり、その参加者が「いつ（たとえば何月何日に）、費用の口座引落に承諾した」のかを示すＱＲコードなどが表示されたりするようにしてもよい。
【０１００】
図１１は、受取人端末１２１に表示される管理者画面の入力例を示す説明図である。図１１の入力画面１１００は、たとえば、同期会のイベントの終了後に、幹事によって操作される画面を示す。入力画面１１００は、代金入力欄１１０１と、算出方法選択ボタン１１０２，１１０３と、人数入力欄１１０４と、設定ボタン１１０５と、算出ボタン１１０６と、名簿情報ボタン１１０７と、メニューボタン１１０８とを含む。代金入力欄１１０１には、たとえば、受取人によりイベントにおける総支払額が入力される。算出方法選択ボタン１１０２，１１０３は、受取人（幹事）が均等割または傾斜配分を選択するためのボタンである。
【０１０１】
人数入力欄１１０４には、均等割する場合の人数が入力される。人数入力欄１１０４には、たとえば、あらかじめ指紋による支払の登録をおこなった支払人の人数が表示される。ただし、エラーとなった支払人がいる場合には、均等割とすると、当該支払人についてはカウントされていないため、人数入力欄１１０４の人数は、手動により変更することが可能である。
【０１０２】
設定ボタン１１０５は、受取人が任意に決める算出方法で支払人ごとの支払額を算出するためのボタンである。算出ボタン１１０６は、各欄に入力した内容や選択された内容で、支払人の支払額を算出するためのボタンである。入力画面１１００において、算出ボタン１１０６が選択されると、図１２に示す配分画面１２００に移行する。
【０１０３】
入力画面１１００において、名簿情報ボタン１１０７が選択されると、図１０の管理者画面１０００に戻る。また、入力画面１１００において、メニューボタン１１０８が選択されると、図６の操作画面６００に戻る。このように、本実施の形態では、受取人（幹事）は、参加費を計算しなくても、支払人ごとの参加費を容易に得ることができる。
【０１０４】
図１２は、受取人端末１２１に表示される配分画面の一例を示す説明図である。図１２の配分画面１２００は、名簿情報１２０１と、決定ボタン１２０２と、戻るボタン１２０３と、を含む。名簿情報１２０１は、参加者氏名（支払人の氏名）と、支払人ごとの支払額とを示す。決定ボタン１２０２は、名簿情報１２０１に示す金額で支払額を決定させるボタンである。
【０１０５】
決定ボタン１２０２が選択されると、名簿情報１２０１に示す金額で各支払人の支払額が決定され、支払人端末１３１に支払要求が送信される。戻るボタン１２０３が選択されると、入力画面１１００（図１１参照）に戻り、たとえば、別の算出方法で支払人の支払額を算出することが可能である。
【０１０６】
図１３は、受取人端末１２１に表示される支払状況確認画面の一例を示す説明図である。図１３の支払状況確認画面１３００は、名簿情報１３０１を含む。名簿情報１３０１は、参加者氏名（支払人の氏名）と、支払額と、支払人ごとの支払の有無（完了または未完了）とを示す。たとえば、支払の有無の「あり」をタップすると、支払手続が完了した日時が表示される。また、支払の有無の「なし」をタップすると、支払手続が完了していない支払人の支払人端末１３１に支払要求を再送信することが可能な画面に移行してもよい。
【０１０７】
名簿情報１３０１により、受取人（幹事）は、自分の口座への入金の有無を個別に確認しなくても、名簿情報１３０１を確認するだけで、参加者の支払の有無を簡単に把握することができる。
【０１０８】
図１４は、支払人端末１３１に表示される請求画面の一例を示す説明図である。図１４の請求画面１４００は、同期会のイベントの終了後に、支払人によって操作される画面を示す。請求画面１４００は、表示されている金額がイベントの費用として口座引落されることに承諾する旨の通知１４０１と、指紋認証欄１４０２と、送信ボタン１４０３と、を含む。
【０１０９】
支払人は、表示されている金額がイベントの費用として口座引落されることに承諾する場合、指紋認証欄１４０２に指をかざす。そして、送信ボタン１４０３が選択されると、入力された指紋の情報が支払支援サーバ１１１に送信され、支払手続が完了すると、図１５に示す支払手続完了画面１５００に移行する。
【０１１０】
図１５は、支払人端末１３１に表示される支払手続完了画面の一例を示す説明図である。図１５の支払手続完了画面１５００は、登録が完了した旨の通知１５０１を含む。通知１５０１により、支払人は、イベントにおける費用の口座引落が完了したことを把握することができる。このように、支払人は、指をかざすだけで、簡単に口座振込による支払を完了させることができる。
【０１１１】
（受取人端末１２１がおこなう支払人の参加受付処理手順の一例）
つぎに、図１６を用いて、受取人端末１２１がおこなう支払人の参加受付処理手順の一例について説明する。図１６は、受取人端末１２１がおこなう支払人の参加受付処理手順の一例を示すフローチャートである。
【０１１２】
図１６において、受取人端末１２１は、支払人の登録開始を受け付けたか否かを判断する（ステップＳ１６０１）。支払人の登録開始は、たとえば、操作画面７００（図７参照）において、「参加者画面」に移行させるための選択ボタン７０１が選択を受け付けることである。受取人端末１２１は、支払人の登録開始を受け付けるまで待つ（ステップＳ１６０１：Ｎｏ）。受取人端末１２１は、支払人の登録開始を受け付けると（ステップＳ１６０１：Ｙｅｓ）、たとえば、図８の指紋認証欄８０２において、登録用の認証情報（支払人の指紋の情報）を受け付ける（ステップＳ１６０２）。
【０１１３】
そして、受取人端末１２１は、受付が完了したか否かを判断する（ステップＳ１６０３）。受付の完了は、たとえば、図８の送信ボタン８０４が選択されることである。受取人端末１２１は、受付が完了しない場合（ステップＳ１６０３：Ｎｏ）、ステップＳ１６０２に戻る。受取人端末１２１は、受付が完了すると（ステップＳ１６０３：Ｙｅｓ）、登録用の認証情報（支払人の指紋の情報）を支払支援サーバ１１１へ送信する（ステップＳ１６０４）。
【０１１４】
つぎに、受取人端末１２１は、支払支援サーバ１１１から登録結果を受信したか否かを判断する（ステップＳ１６０５）。受取人端末１２１は、支払支援サーバ１１１から登録結果を受信するまで待つ（ステップＳ１６０５：Ｎｏ）。受取人端末１２１は、支払支援サーバ１１１から登録結果を受信すると（ステップＳ１６０５：Ｙｅｓ）、ディスプレイに登録結果を表示し（ステップＳ１６０６）、本フローチャートによる一連の処理を終了する。登録結果の画面は、たとえば、図９Ａの登録完了画面９００や、図９Ｂのエラー画面９２０である。
【０１１５】
上述した処理により、受取人端末１２１は、イベントにおける費用を口座引落とするための登録を指紋認証だけで（指をかざすだけで）という簡単な操作で、迅速に、かつ、的確におこなうことができる。
【０１１６】
（支払支援サーバ１１１がおこなう支払人の登録処理手順の一例）
つぎに、図１７を用いて、支払支援サーバ１１１がおこなう支払人の登録処理手順の一例について説明する。図１７は、支払支援サーバ１１１がおこなう支払人の登録処理手順の一例を示すフローチャートである。図１７において、支払支援サーバ１１１は、受取人端末１２１から登録用の認証情報（支払人の指紋の情報）を受信したか否かを判断する（ステップＳ１７０１）。
【０１１７】
支払支援サーバ１１１は、受取人端末１２１から登録用の認証情報を受信するまで待つ（ステップＳ１７０１：Ｎｏ）。そして、支払支援サーバ１１１は、受取人端末１２１から登録用の認証情報を受信すると（ステップＳ１７０１：Ｙｅｓ）、銀行サーバ１１３に問い合わせて、認証情報に対応付けられる支払人および口座情報を特定する（ステップＳ１７０２）。
【０１１８】
つぎに、支払支援サーバ１１１は、口座情報を特定できたか否かを判断する（ステップＳ１７０３）。支払支援サーバ１１１は、口座情報を特定できない場合（ステップＳ１７０３：Ｎｏ）、受取人端末１２１にエラーメッセージ（たとえば、図９Ｂのエラー画面９２０参照）を送信し（ステップＳ１７０４）、本フローチャートによる一連の処理を終了する。
【０１１９】
一方、支払支援サーバ１１１は、口座情報を特定できた場合（ステップＳ１７０３：Ｙｅｓ）、支払人の口座に所定額の残額があるか否かを判断する（ステップＳ１７０５）。所定額は、受取人があらかじめ定めた金額であり、たとえば、イベントにおいて想定される費用である。支払支援サーバ１１１は、支払人の口座に所定額の残額がない場合（ステップＳ１７０５：Ｎｏ）、ステップＳ１７０４に移行する。
【０１２０】
一方で、支払支援サーバ１１１は、支払人の口座に所定額の残額がある場合（ステップＳ１７０５：Ｙｅｓ）、口座情報に含まれる支払人の各種情報を精算情報ＤＢ１１２（図３Ｂ参照）に登録する（ステップＳ１７０６）。そして、支払支援サーバ１１１は、支払人を名簿情報に登録する（ステップＳ１７０７）。つぎに、支払支援サーバ１１１は、受取人端末１２１に登録メッセージ（図９Ａの登録完了画面９００参照）を送信し（ステップＳ１７０８）、本フローチャートによる一連の処理を終了する。
【０１２１】
上述した処理により、支払支援サーバ１１１は、支払人の各種情報を精算情報ＤＢ１１２（図３Ｂ参照）に登録することができるとともに、受取人端末１２１を介して、受取人および支払人に登録処理の結果を通知することができる。
【０１２２】
（支払支援サーバ１１１がおこなう支払要求処理手順の一例）
つぎに、図１８を用いて、支払支援サーバ１１１がおこなう支払要求処理手順の一例について説明する。図１８は、支払支援サーバ１１１がおこなう支払要求処理手順の一例を示すフローチャートである。図１８のフローチャートにおいて、支払支援サーバ１１１は、受取人端末１２１から支払に関する情報を受信したか否かを判断する（ステップＳ１８０１）。支払に関する情報の受信は、図１１の入力画面１１００において、算出ボタン１１０６が選択されることである。
【０１２３】
支払支援サーバ１１１は、受取人端末１２１から支払に関する情報を受信するまで待つ（ステップＳ１８０１：Ｎｏ）。支払支援サーバ１１１は、受取人端末１２１から支払に関する情報を受信すると（ステップＳ１８０１：Ｙｅｓ）、各支払人の支払金額を算出する（ステップＳ１８０２）。算出方法は、均等割や傾斜配分など、受取人によって選択された方法である（図１１の入力画面１１００参照）。
【０１２４】
つぎに、支払支援サーバ１１１は、決定か否かを判断する（ステップＳ１８０３）。決定とは、図１２の決定ボタン１２０２が選択されることである。支払支援サーバ１１１は、決定ではない場合（ステップＳ１８０３：Ｎｏ）、算出方法を変更するか否かを判断する（ステップＳ１８０４）。算出方法の変更は、たとえば、図１２の戻るボタン１２０３が選択されることである。
【０１２５】
支払支援サーバ１１１は、算出方法を変更しない場合（ステップＳ１８０４：Ｎｏ）、ステップＳ１８０３に戻る。一方、支払支援サーバ１１１は、算出方法を変更する場合（ステップＳ１８０４：Ｙｅｓ）、ステップＳ１８０１に戻る。また、ステップＳ１８０３において、支払支援サーバ１１１は、決定である場合（ステップＳ１８０３：Ｙｅｓ）、各支払人端末１３１に支払要求を送信し（ステップＳ１８０５）、本フローチャートによる一連の処理を終了する。
【０１２６】
上述した処理により、支払支援サーバ１１１は、各支払人の支払金額を算出して、各支払人端末１３１に支払要求をおこなうことができる。
【０１２７】
（支払人端末１３１がおこなう支払受付処理手順の一例）
つぎに、図１９を用いて、支払人端末１３１がおこなう支払受付処理手順の一例について説明する。図１９は、支払人端末１３１がおこなう支払受付処理手順の一例を示すフローチャートである。図１９のフローチャートにおいて、まず、支払人端末１３１は、支払支援サーバ１１１から支払要求を受信したか否かについて判断する（ステップＳ１９０１）。
【０１２８】
支払人端末１３１は、支払支援サーバ１１１から支払要求を受信するまで待つ（ステップＳ１９０１：Ｎｏ）。そして、支払人端末１３１は、支払支援サーバ１１１から支払要求を受信した場合（ステップＳ１９０１：Ｙｅｓ）に、たとえば、図１４の指紋認証欄１４０２において、支払用の認証情報（指紋の情報）を受け付ける（ステップＳ１９０２）。
【０１２９】
そして、支払人端末１３１は、受付が完了したか否かを判断する（ステップＳ１９０３）。受付の完了は、たとえば、図１４の送信ボタン１４０３が選択されることである。支払人端末１３１は、受付が完了しない場合（ステップＳ１９０３：Ｎｏ）、ステップＳ１９０２に戻る。支払人端末１３１は、受付が完了すると（ステップＳ１９０３：Ｙｅｓ）、支払用の認証情報（支払人の指紋の情報）を支払支援サーバ１１１へ送信する（ステップＳ１９０４）。
【０１３０】
つぎに、支払人端末１３１は、支払支援サーバ１１１から支払結果を受信したか否かを判断する（ステップＳ１９０５）。支払人端末１３１は、支払支援サーバ１１１から支払結果を受信するまで待つ（ステップＳ１９０５：Ｎｏ）。支払人端末１３１は、支払支援サーバ１１１から支払結果を受信した場合（ステップＳ１９０５：Ｙｅｓ）に、ディスプレイに支払結果を表示し（ステップＳ１９０６）、本フローチャートによる一連の処理を終了する。支払結果の画面は、たとえば、図１５に示した支払手続完了画面１５００である。
【０１３１】
上述した処理により、支払人端末１３１は、イベントにおける費用を口座引落とするための承諾を指紋認証だけで（指をかざすだけで）おこなうことができる。これにより、支払手続を、簡単に、迅速に、的確におこなうことができる。
【０１３２】
（支払支援サーバ１１１がおこなう振込処理手順の一例）
つぎに、図２０を用いて、支払支援サーバ１１１がおこなう振込処理手順の一例について説明する。図２０は、支払支援サーバ１１１がおこなう振込処理手順の一例を示すフローチャートである。図２０のフローチャートにおいて、支払支援サーバ１１１は、支払人端末１３１から支払用の認証情報を受信したか否かについて判断する（ステップＳ２００１）。
【０１３３】
支払支援サーバ１１１は、支払人端末１３１から支払用の認証情報を受信しない場合（ステップＳ２００１：Ｎｏ）は、支払要求をおこなってから所定期間が経過したか否かを判断する（ステップＳ２００２）。支払支援サーバ１１１は、支払要求をおこなってから所定期間が経過していない場合（ステップＳ２００２：Ｎｏ）、ステップＳ２００１に移行する。
【０１３４】
支払支援サーバ１１１は、支払要求をおこなってから所定期間が経過した場合（ステップＳ２００２：Ｙｅｓ）、未払いの支払人の支払人端末１３１に再び支払要求を送信し（ステップＳ２００３）、ステップＳ２００１に移行する。ステップＳ２００１において、支払支援サーバ１１１は、支払人端末１３１から支払用の認証情報を受信すると（ステップＳ２００１：Ｙｅｓ）、銀行サーバ１１３に指示し、支払人の口座から受取人の口座に振込を実行させる（ステップＳ２００４）。
【０１３５】
そして、振込が完了すると、支払支援サーバ１１１は、振込が完了した旨を名簿情報に登録し（ステップＳ２００５）、支払結果を支払人端末１３１に送信する（ステップＳ２００６）。つぎに、支払支援サーバ１１１は、全支払人の支払が完了したか否かを判断する（ステップＳ２００７）。支払支援サーバ１１１は、全支払人の支払が完了しない場合（ステップＳ２００７：Ｎｏ）、ステップＳ２００１に移行する。支払支援サーバ１１１は、全支払人の支払が完了した場合（ステップＳ２００７：Ｙｅｓ）、本フローチャートによる一連の処理を終了する。
【０１３６】
上述した処理により、支払支援サーバ１１１は、振込を実行させることができるとともに、振込が完了した旨を名簿情報に登録することができる。また、支払をおこなわない支払に対しては支払を催促することができる。
【０１３７】
（支払方法についての他の一例）
上述した説明では、イベントの終了後に支払人が参加費を振込む場合について説明したが、以下では、参加費があらかじめ一律に定められており、イベントの開始前に支払人が参加費を振込む場合について説明する。参加費があらかじめ一律に定められたイベントは、たとえば、同窓会、結婚式の二次会などである。
【０１３８】
（支払支援サーバ１１１がおこなう振込処理手順の他の一例）
図２１は、支払支援サーバ１１１がおこなう振込処理手順の一例を示すフローチャートである。図２１のフローチャートにおいて、支払支援サーバ１１１は、受取人端末１２１から登録用の認証情報（支払人の指紋の情報）を受信したか否かを判断する（ステップＳ２１０１）。
【０１３９】
支払支援サーバ１１１は、受取人端末１２１から登録用の認証情報を受信するまで待つ（ステップＳ２１０１：Ｎｏ）。そして、支払支援サーバ１１１は、受取人端末１２１から登録用の認証情報を受信すると（ステップＳ２１０１：Ｙｅｓ）、銀行サーバ１１３に問い合わせて、認証情報に対応付けられる支払人および口座情報を特定する（ステップＳ２１０２）。
【０１４０】
つぎに、支払支援サーバ１１１は、口座情報を特定できたか否かを判断する（ステップＳ２１０３）。支払支援サーバ１１１は、口座情報を特定できない場合（ステップＳ２１０３：Ｎｏ）、受取人端末１２１にエラーメッセージ（たとえば、図９Ｂのエラー画面９２０参照）を送信し（ステップＳ２１０４）、本フローチャートによる一連の処理を終了する。
【０１４１】
一方、支払支援サーバ１１１は、口座情報を特定できた場合（ステップＳ２１０３：Ｙｅｓ）、支払人の口座に所定額の残額があるか否かを判断する（ステップＳ２１０５）。所定額は、受取人があらかじめ定めた金額であり、たとえば、イベントの参加費である。支払支援サーバ１１１は、支払人の口座に所定額の残額がない場合（ステップＳ２１０５：Ｎｏ）、ステップＳ２１０４に移行する。
【０１４２】
一方で、支払支援サーバ１１１は、支払人の口座に所定額の残額がある場合（ステップＳ２１０５：Ｙｅｓ）、銀行サーバ１１３に支払人の口座から受取人の口座に振込を実行させる（ステップＳ２１０６）。そして、支払支援サーバ１１１は、振込を完了した旨を、あらかじめ作成された名簿情報に登録し（ステップＳ２１０７）、支払結果を支払人端末１３１に送信する（ステップＳ２１０８）。これを受けて、受取人端末１２１は、たとえば、図１５の支払手続完了画面１５００に相当する画面を表示する。
【０１４３】
つぎに、支払支援サーバ１１１は、あらかじめ作成された名簿情報に登録されている全支払人の支払が完了したか否かを判断する（ステップＳ２１０９）。支払支援サーバ１１１は、全支払人の支払が完了しない場合（ステップＳ２１０９：Ｎｏ）、ステップＳ２１０１に移行する。支払支援サーバ１１１は、全支払人の支払が完了した場合（ステップＳ２１０９：Ｙｅｓ）、本フローチャートによる一連の処理を終了する。
【０１４４】
上述した処理により、支払支援サーバ１１１は、参加費があらかじめ一律に定められたイベントにおいて、イベントの開始前に指紋をかざすだけで参加費を振込むことができるとともに、振込を終えた支払人を名簿情報に登録することができる。
【０１４５】
（支払人の登録方法についての他の一例）
上述した説明では、イベントの当日にイベント会場において受取人端末１２１により支払人の参加を受け付ける場合について説明したが、以下では、イベントの当日以前に支払人端末１３１により支払人の参加を受け付ける場合について説明する。
【０１４６】
（支払人端末１３１がおこなう参加受付処理手順の他の一例）
図２２は、支払人端末１３１がおこなう参加受付処理手順の一例を示すフローチャートである。図２２のフローチャートにおいて、まず、支払人端末１３１は、支払支援サーバ１１１から参加要求に関する情報を受信したか否かについて判断する（ステップＳ２２０１）。
【０１４７】
ここで、支払支援サーバ１１１からの参加要求の送信について補足すると、支払支援サーバ１１１は、受取人（幹事）の入力等に基づいて、参加予定の支払人等の情報を含む名簿情報をあらかじめ作成しているものとする。また、支払支援サーバ１１１は、受取人（幹事）が指定する所定のタイミングで、名簿情報に登録されている支払人の支払人端末１３１に参加要求を送信する。これにより、支払人端末１３１は、支払支援サーバ１１１から参加要求を受信する。
【０１４８】
支払人端末１３１は、支払支援サーバ１１１から参加要求を受信するまで待つ（ステップＳ２２０１：Ｎｏ）。支払人端末１３１は、支払支援サーバ１１１から参加要求を受信すると（ステップＳ２２０１：Ｙｅｓ）、たとえば、図８の指紋認証欄８０２に相当する画面を表示して、登録用の認証情報（指紋の情報）を受け付ける（ステップＳ２２０２）。
【０１４９】
そして、支払人端末１３１は、受付が完了したか否かを判断する（ステップＳ２２０３）。受付の完了は、たとえば、支払人端末１３１が、図８の送信ボタン８０４に相当する画面を表示して当該ボタンが選択されることである。支払人端末１３１は、受付が完了しない場合（ステップＳ２２０３：Ｎｏ）は、ステップＳ２２０２に戻る。一方、支払人端末１３１は、受付が完了した場合（ステップＳ２２０３：Ｙｅｓ）は、登録用の認証情報（具体的には、たとえば、指紋の情報）を支払支援サーバ１１１へ送信する（ステップＳ２２０４）。
【０１５０】
つぎに、支払人端末１３１は、支払支援サーバ１１１から登録結果を受信したか否かを判断する（ステップＳ２２０５）。支払人端末１３１は、支払支援サーバ１１１から登録結果を受信するまで待つ（ステップＳ２２０５：Ｎｏ）。支払人端末１３１は、支払支援サーバ１１１から登録結果を受信すると（ステップＳ２２０５：Ｙｅｓ）、ディスプレイに登録結果を表示し（ステップＳ２２０６）、本フローチャートによる一連の処理を終了する。登録結果の画面は、たとえば、図９Ａの登録完了画面９００や、図９Ｂのエラー画面９２０に相当する画面である。
【０１５１】
上述した処理により、支払人端末１３１から、イベントにおける費用を口座引落とするための登録をおこなうことができるため、たとえば、イベントの日よりも前に、イベント会場以外の場所で参加の登録をおこなうことができる。これにより、イベントの日よりも前に、費用を口座引落とするための登録および参加の連絡をおこなうことができるため、イベント会場における受付手続を簡素化することができる。
【０１５２】
また、支払人端末１３１は、イベントの当日以前に、イベントにおける費用を口座引落とするための登録を指紋認証だけで（指をかざすだけで）、簡単かつ迅速におこなうことができる。また、イベントに参加する旨の登録をした者（支払人）が当日にいきなり欠席した場合でも、当該支払人の口座情報や連絡先を特定できていることから、支払支援サーバ１１１は、イベントの終了後に、当該支払人にキャンセル料などの費用を請求することができる。
【０１５３】
（支払支援サーバ１１１の機能的構成の他の一例）
図２３は、支払支援サーバ１１１の機能的構成の他の一例を示す説明図である。図２３において、支払支援サーバ１１１は、生体情報受信部２３０１、２３０２と、参加者・支払口座管理部２３０３と、支払口座問合せ部２３０４と、支払口座情報受信部２３０５と、費用情報受信部２３０６と、支払金額算出部２３０７と、支払金額送信部２３０８と、振込要求部２３０９と、振込結果受信部２３１０と、支払状況記憶部２３１１とを備える。
【０１５４】
生体情報受信部２３０１は、イベント参加意思表明用端末装置２３５１から送信された生体情報を受信する。生体情報受信部２３０１は、具体的には、たとえば、図２Ａに示した通信ＩＦ２１３により、その機能を実現する。
【０１５５】
イベント参加意思表明用端末装置２３５１は、イベントへの参加を希望する者（参加希望者）が、当該イベントに参加する意思を表明するのに用いる端末装置である。イベント参加意思表明用端末装置２３５１は、具体的には、たとえば、図１に示した受取人端末１２１であってもよく、また、図１に示した支払人端末１３１であってもよい。受取人端末１２１および支払人端末１３１の少なくともいずれかに所定のアプリケーションをインストールすることによって、イベント参加意思表明用端末装置２３５１としての機能を実現することができる。
【０１５６】
イベント参加意思表明用端末装置２３５１は、参加希望者イベントへの参加を希望する者から当該参加希望者の生体情報を取得する。参加希望者から受け付けた当該参加希望者の生体情報は、参加登録をおこなうための生体情報であり、たとえば、参加希望者の能動的な行為に起因して得られる情報である。参加希望者の生体情報は、たとえば、当該参加希望者の生体情報の指紋の情報であってもよく、掌形、顔、血管、網膜、虹彩、声紋など他の生体情報であってもよい。
【０１５７】
この生体情報は、参加希望者個人を特定するだけでなく、当該参加希望者が所有する各銀行の支払口座に対応付けられる認証情報であってもよい。その際、各銀行サーバ１１３に当該生体情報を照合する照合用の情報があらかじめ登録されているものであってもよい。そうすることによって、支払口座問合せ部２３０４によって、当該生体情報に基づいて、各銀行サーバ１１３に対して、当該参加希望者の支払口座の問合せがおこなわれた際に、当該生体情報によって各銀行サーバ１１３が当該支払口座を特定することができるようになる。
【０１５８】
また、イベント参加意思表明用端末装置２３５１は、当該参加希望者の生体情報とともに、当該生体情報に対応付けられる口座がどの銀行の口座であるかを示す銀行の情報もあわせて取得するようにしてもよい。銀行の情報の取得方法については、たとえば、上述した、図５、図８などにおいて示した方法を用いることによって、取得するようにしてもよい。
【０１５９】
また、あわせて、参加希望者の個人情報、たとえば、氏名、生年月日、住所、メールアドレス（ＳＮＳ（Ｓｏｃｉａｌ  Ｎｅｔｗｏｒｋｉｎｇ  Ｓｅｒｖｉｃｅ）のアカウントなどを含む）などをあわせて取得するようにしてもよい。このメールアドレスは、支払金額送信部２３０８が、支払金額を送信する支払承認用端末装置２３５３のメールアドレスとして用いることができる。
【０１６０】
このように、イベント参加意思表明用端末装置２３５１が取得した生体情報、あるいは生体情報とともに取得した銀行情報を含む当該参加希望者の個人情報は、生体情報受信部２３０１へ送信される。生体情報受信部２３０１は、送信された生体情報、あるいは生体情報および個人情報を、イベントの参加者の情報として受信し、参加者・支払口座管理部２３０３へ渡す。
【０１６１】
参加者・支払口座管理部２３０３は、生体情報受信部２３０１によって受信された情報に基づいて、イベントの参加者に関する情報および当該参加者の支払口座に関する情報を管理する。参加者・支払口座管理部２３０３は、具体的には、たとえば、図２Ａに示したメモリ２１２に記憶されたプログラムをＣＰＵ２１１に実行させることにより、その機能を実現する。
【０１６２】
支払口座問合せ部２３０４は、イベントの参加者の支払口座に関する情報を銀行サーバ１１３に対して問合せをおこなう。支払口座問合せ部２３０４は、具体的には、たとえば、図２Ａに示したメモリ２１２に記憶されたプログラムをＣＰＵ２１１に実行させることにより、また、通信ＩＦ２１３により、その機能を実現する。
【０１６３】
支払口座問合せ部２３０４は、生体情報受信部２３０１が受信した生体情報に基づいて、各銀行サーバ１１３に対して、当該生体情報に一致する者の支払口座があるか、そして、支払口座があるのであれば、その支払口座に関する情報（口座番号など）の取得要求をおこなう。この際、生体情報受信部２３０１が受信した、問合せの手がかりとなる当該生体情報の持ち主の個人情報（氏名、生年月日、住所など）について、あわせて送信するようにしてもよい。
【０１６４】
また、支払口座問合せ部２３０４は、あわせて、当該支払口座の残高についても問い合わせることができる。具体的には、実際の残高に関する情報を問い合わせてもよく、また、たとえば、イベントの参加費用に関するおおよその金額（金額がすでに確定している場合は、確定金額）に関する情報もあわせて送信し、当該金額以上の残高があるか否かについて問い合わせるようにしてもよい。
【０１６５】
ここで、支払口座が存在する銀行がわかっている場合は、当該銀行の銀行サーバ１１３にのみ、取得要求をおこなう。一方、支払口座が存在する銀行がわかっていない場合は、各銀行の銀行サーバ１１３に対して、それぞれ取得要求をおこなうようにしてもよい。そして、各銀行の銀行サーバ１１３からの返信によって、いずれの銀行であるかを特定するようにしてもよい。
【０１６６】
銀行サーバ１１３は、支払口座問合せ部２３０４から受信した生体情報と一致する生体情報があるか否かを判断し、あった場合は、当該生体情報に関連付けされている（紐付けされている）支払口座に関する情報を、問合せがあった支払支援サーバ１１１へ送信する。その際、銀行サーバ１１３は、当該支払口座の残高に関する情報もあわせて送信するようにしてもよい。
【０１６７】
支払口座情報受信部２３０５は、支払口座問合せ部２３０４が問い合わせた、イベントの参加者の支払口座に関する情報を銀行サーバ１１３から受信し、受信した情報を、参加者・支払口座管理部２３０３へ渡す。支払口座情報受信部２３０５は、具体的には、たとえば、図２Ａに示した通信ＩＦ２１３により、その機能を実現する。
【０１６８】
参加者・支払口座管理部２３０３は、支払口座情報受信部２３０５が受信した支払口座情報と、当該参加者とを関連付けして記憶し、管理する。参加者・支払口座管理部２３０３は、参加者の支払口座に関する情報をすでに取得し、管理している場合は、銀行サーバ１１３への問合せはしなくてもよい。たとえば、定例イベントなどの場合に、以前に参加者の支払口座に関する情報を取得している場合があり、その場合には、あえて問合せをすることを必要としない。ただし、残高についてはその都度、問合せをするようにしてもよい。
【０１６９】
このように、参加者・支払口座管理部２３０３は、参加希望者の支払口座が特定できた時点（あるいは残高が一定額以上であると確認できた時点）で、参加希望者を正式にイベントの参加者として登録する。その際、正式に登録した旨を、イベント参加意思表明用端末装置２３５１あるいは別の端末装置に対して、通知するようにしてもよい（たとえば図９Ａ参照）。
【０１７０】
費用情報受信部２３０６は、イベント費用入力用端末装置２３５２から送信されたイベント費用に関する情報を受信する。イベント費用に関する情報は、具体的には、たとえば、イベントにおける総支払額の情報であってもよい。支払人に関する情報（たとえば、イベントに参加した人数の情報、年齢、性別、役職、住所など、参加者の属性情報）などを含んでもよい。費用情報受信部２３０６は、具体的には、たとえば、図２Ａに示した通信ＩＦ２１３により、その機能を実現する。
【０１７１】
イベント費用入力用端末装置２３５２は、イベントの費用に関する情報を入力するのに用いる端末装置である。イベント費用入力用端末装置２３５２は、具体的には、たとえば、図１に示した受取人端末１２１であってもよく、また、それ以外の端末装置であってもよい。受取人端末１２１あるいはそれ以外の端末装置に所定のアプリケーションをインストールすることによって、イベント費用入力用端末装置２３５２としての機能を実現することができる。
【０１７２】
イベント費用入力用端末装置２３５２は、具体的には、たとえば、図１１に示すような画面を表示し、所定欄にイベント費用に関する金額情報、配分方法に関する情報などを入力することによって、たとえば幹事から、イベントの費用に関する情報の入力を受け付けることができる。
【０１７３】
このように、イベント参加意思表明用端末装置２３５１が取得したイベントの費用に関する情報は、支払支援サーバ１１１の費用情報受信部２３０６へ送信される。費用情報受信部２３０６は、送信されたイベントの費用に関する情報を受信し、支払金額算出部２３０７へ渡す。
【０１７４】
支払金額算出部２３０７は、費用情報受信部２３０６が受信したイベント費用に関する情報と、参加者・支払口座管理部２３０３から取得した参加者に関する情報とに基づいて、各参加者が支払う支払金額を算出する。支払金額算出部２３０７は、具体的には、たとえば、図２Ａに示したメモリ２１２に記憶されたプログラムをＣＰＵ２１１に実行させることにより、その機能を実現する。
【０１７５】
支払金額算出部２３０７は、参加者に関する情報を参加者・支払口座管理部２３０３から取得し、イベント費用に関する情報から、各参加者の支払金額を算出する。たとえば、支払金額算出部２３０７は、均等割や傾斜配分など所定の算出方法により、支払人に応じた支払額を算出する。
【０１７６】
また、支払金額算出部２３０７は、たとえば、年齢に応じた支払額とするなど、参加者の属性情報を用いた所定の算出方法により、支払人に応じた支払額を算出してもよい。また、所定の算出方法は、受取人（幹事）により任意に設定するようにしてもよい。そして、支払金額算出部２３０７は、算出した算出額（参加者の支払金額）を、振込要求部２３０９へ渡す。
【０１７７】
支払金額送信部２３０８は、支払金額算出部２３０７が算出した各参加者が支払う支払金額に関する情報を、特定の支払承認用端末装置２３５３へ送信する。支払金額送信部２３０８は、具体的には、たとえば、図２Ａに示したメモリ２１２に記憶されたプログラムをＣＰＵ２１１に実行させることにより、また、通信ＩＦ２１３により、その機能を実現する。
【０１７８】
支払承認用端末装置２３５３は、参加者が、当該イベントに参加費用の支払いの承認をするのに用いる端末装置である。支払承認用端末装置２３５３は、具体的には、たとえば、図１に示した支払人端末１３１であってもよく、また、図１に示した受取人端末１２１であってもよい。支払人端末１３１および受取人端末１２１の少なくともいずれかに所定のアプリケーションをインストールすることによって、支払承認用端末装置２３５３としての機能を実現することができる。
【０１７９】
支払金額に関する情報を送信する支払承認用端末装置２３５３は、参加者・支払口座管理部２３０３に記憶されている各参加者の個人情報に基づいて、特定する。具体的には、参加者の個人情報のうちのメールアドレス（ＳＮＳのアカウントなどを含む）などの情報を用いて、支払金額を送信する支払承認用端末装置２３５３を特定するようにしてもよい。
【０１８０】
支払承認用端末装置２３５３は、支払金額送信部２３０８から、支払金額に関する情報を受信した後に、支払人（参加者）の認証情報を取得する。支払人端末１３１が認証情報を受け付ける受付部は、支払人の認証情報が入力される入力デバイス２２４（図２Ｂ参照）である。
【０１８１】
たとえば、支払人の認証情報を生体情報とする場合、支払人端末１３１の受付部は、認証情報を読み取るスキャナやセンサである。また、支払人の認証情報を暗証番号とする場合、支払人端末１３１の受付部は、タッチパネルやキーボードである。第２取得部５０３は、支払人端末１３１が受け付けた支払人の認証情報を、支払人端末１３１から受信することによって取得する。
【０１８２】
支払承認用端末装置２３５３は、具体的には、たとえば、図１４に示す画面を表示して、イベント参加者から当該イベント参加者の生体情報を取得するようにしてもよい。イベント参加者から受け付けた当該イベント参加者の生体情報は、振込の認証をおこなうための認証情報であり、たとえば、イベント参加者の能動的な行為に起因して得られる情報である。イベント参加者の生体情報は、たとえば、当該イベント参加者の生体情報の指紋の情報であってもよく、掌形、顔、血管、網膜、虹彩、声紋など他の生体情報であってもよい。
【０１８３】
支払人端末１３１が支払人の認証情報を受け付けることにより、たとえば、イベントの解散後でも支払が可能となる。また、イベント会場のその場で支払を完了させることが可能な場合には、受取人端末１２１を用いて支払人の認証情報を受け付けることも可能である。この場合、受取人端末１２１は、支払人から支払人を特定するための情報（たとえば支払人の生体情報）を用いて支払人ごとの支払額を提示して、支払人ごとに認証情報を受け付ければよい。そして、受取人端末１２１は、受け付けた認証情報を支払支援サーバ１１１に送信する。これにより、支払人が支払人端末１３１を所持していなくても、イベント会場において支払を完了させることもできる。
【０１８４】
このように、支払承認用端末装置２３５３が取得した生体情報は、生体情報受信部２３０２へ送信される。生体情報受信部２３０２は、支払承認用端末装置２３５３から送信された生体情報を受信し、受信した生体情報を振込要求部２３０９へ渡す。生体情報受信部２３０２は、具体的には、たとえば、図２Ａに示した通信ＩＦ２１３により、その機能を実現する。
【０１８５】
振込要求部２３０９は、銀行サーバ１１３に対して、支払金額算出部２３０７が算出した金額、または、参加者・支払口座管理部２３０３から送られた、参加費用としてあらかじめ定められた金額を、各参加者の支払口座から、あらかじめ定められた振込先口座（たとえば幹事の口座）へ振込するように要求する。振込要求部２３０９は、具体的には、たとえば、図２Ａに示したメモリ２１２に記憶されたプログラムをＣＰＵ２１１に実行させることにより、また、通信ＩＦ２１３により、その機能を実現する。
【０１８６】
振込要求部２３０９は、生体情報受信部２３０２によって受信した生体情報を受け取ると、当該生体情報の参加者の支払口座に関する情報を、参加者・支払口座管理部２３０３から取得する。また、振込金額、すなわち、支払金額算出部２３０７によって算出された、当該参加者が支払うべき金額、または、参加者・支払口座管理部２３０３が保持しているあらかじめ定められた金額のいずれかを取得する。そして、取得した支払口座に関する情報と、当該生体情報をもって、該当する銀行サーバ１１３に対して、取得した金額を振込先口座（たとえば幹事の口座）へ振込するように要求する。
【０１８７】
銀行サーバ１１３は、振込要求部２３０９からの振込要求を受け付けると、添付されている当該生体情報が照合用にあらかじめ記憶されている情報と一致するか否かを判断し、一致する場合に、指定された金額を指定された振込先口座へ振り込むように振込手続を実施する。そして、銀行サーバ１１３は、実施した振込結果を支払支援サーバ１１１へ送信する。生体情報が一致しなかった場合は、振込結果として振り込みできなかった旨を通知する。
【０１８８】
振込結果受信部２３１０は、振込結果、すなわち、振込要求部２３０９によって振込要求をおこなった各参加者の支払口座からの振込の状況に関する情報を銀行サーバ１１３から受信する。振込結果受信部２３１０は、具体的には、たとえば、図２Ａに示した通信ＩＦ２１３により、その機能を実現する。
【０１８９】
支払状況記憶部２３１１は、振込結果受信部２３１０が受信した各参加者の支払口座からの振込状況に関する情報を、各参加者の支払状況として記憶する。支払状況に関する情報は、たとえば、「支払い（振込）完了」、支払承認用端末装置２３５３による操作手続をおこなっていないことによる「支払（振込）未完了」、生体情報が一致しないあるいは残高不足などによる「支払（振込）不能」などの状況である。支払状況記憶部２３１１は、具体的には、たとえば、図２Ａに示したメモリ２１２に記憶されたプログラムをＣＰＵ２１１に実行させることにより、その機能を実現する。
【０１９０】
参加者・支払口座管理部２３０３は、支払状況記憶部２３１１に記憶された支払状況に基づいて、必要に応じて、参加者に催促の処理を実行するようにしてもよい。催促のタイミングについては、上述のとおりであってもよい。
【０１９１】
また、参加者・支払口座管理部２３０３は、記憶されている参加者に関する情報に基づいて、イベント参加者の名簿情報を作成するようにしてもよい。名簿情報が示す名簿には、図１１、図１２、図１３に示すように、参加者の氏名が列挙され、受取人端末１２１などの端末装置にその一覧を表示することができる。これにより、参加者および支払い額を容易に把握することができる（図１１、図１２を参照）とともに、受取人は、支払人ごとに支払が完了したか否かを容易に把握することができる（図１３を参照）。
【０１９２】
図２４は、支払支援サーバ１１１がおこなう一連の処理の他の一例を示すフローチャートである。図２４のフローチャートにおいて、図２３に示した支払支援サーバ１１１は、イベント参加意思表明用端末装置２３５１から、イベントの参加者（参加希望者）の生体情報を受信する（ステップＳ２４０１）。そして、ステップＳ２４０１において受信した生体情報を用いて、銀行サーバ１１３から、参加者の支払口座情報を取得する（ステップＳ２４０２）。
【０１９３】
つぎに、イベント費用に関する情報をイベント費用入力用端末装置２３５２から受信する（ステップＳ２４０３）。その後、受信したイベント費用に基づいて、各イベント参加者の支払金額を特定する（ステップＳ２４０４）。そして、特定された支払金額を支払承認用端末装置２３５３に対して提示する（ステップＳ２４０５）。
【０１９４】
その後、支払承認用端末装置２３５３から、認証情報（生体情報）を受信する（ステップＳ２４０６）。そして、受信した認証情報（生体情報）を用いて、銀行サーバ１１３に対して振込要求を実施する（ステップＳ２４０７）。その要求に基づいて、銀行サーバ１１３は、振込処理を実施する。
【０１９５】
つぎに、銀行サーバ１１３から、振込結果に関する情報を受信する（ステップＳ２４０８）。そして、受信した振込結果に関する情報を記憶し（ステップＳ２４０９）、支払支援サーバ１１１の一連の処理を終了する。
【０１９６】
このように、本実施の形態にかかる支払支援サーバ１１１は、イベントの参加者が参加の意思を表明するのに用いる参加意思表明用端末装置から、当該参加者の生体情報を受信し、受信した生体情報から、当該参加者の支払い口座を特定し、イベントの費用に基づいて、参加者の支払金額を特定し、特定された支払金額を、支払承認用端末装置へ送信し、支払承認用端末装置から、参加者の認証情報、たとえば生体情報を受信し、受信した認証情報に基づいて、特定した支払い口座から、あらかじめ定められた支払先への振込処理を実行するので、イベントの参加費用の徴収をより簡単にかつ効率的におこなうことができる。
【０１９７】
以上説明したように、本実施の形態にかかる支払支援サーバ１１１は、支払人から生体情報を受け付けるだけで、当該生体情報に対応付けられる口座情報を特定することができる。これにより、暗証番号の入力といった煩雑な操作をおこなわずに、簡単に支払人の参加登録をおこなうことができる。特に、生体情報を指紋の情報とすることにより、支払人が指をかざすだけで、簡単かつ迅速にイベントへの参加登録をおこなうことができる。
【０１９８】
また、支払支援サーバ１１１は、支払人の認証情報による認証に成功した場合に支払人の口座から受取人の口座へ振込を実行させることとした。これにより、支払支援サーバ１１１は、振込を実行させる前に、支払人から承諾を得ることができる。また、支払人は、振込をおこなう際に、支払額を確認することができるため、高額な請求など不当な請求の場合には支払（認証）を拒否することも可能となる。
【０１９９】
また、支払支援サーバ１１１は、誤送信等により、支払人とは関係のない第三者の端末に支払要求を送信したとしても、支払手続において支払人の認証情報を要するため、第三者がこの端末を用いて支払手続をおこなったとしても、振込をおこなわないようにすることができる。
【０２００】
したがって、本実施の形態によれば、支払人は、安心して簡単に支払手続をおこなうことができる。また、本実施の形態によれば、受取人の口座番号等を支払人に開示せずに、支払人の口座から受取人の口座へ振込を可能にしたため、受取人にとっても安心して取引をおこなうことができる。特に、支払人の認証情報を指紋の情報とすることにより、支払人が指をかざすだけで、簡単かつ迅速に振込をおこなうことができる。
【０２０１】
また、本実施の形態において、支払支援サーバ１１１は、受取人端末１２１から送信された支払人の生体情報を取得することとした。これにより、支払支援サーバ１１１は、受取人端末１２１から送信された支払人の生体情報に対応する口座情報を特定することができる。これにより、支払支援サーバ１１１によれば、たとえば、イベント当日にイベント会場において、幹事（受取人）が受取人端末１２１を用いて複数の参加者（支払人）から順番に生体情報を受け付けるだけでよいため、支払人の生体情報をより簡単に取得することができる。
【０２０２】
また、本実施の形態において、支払支援サーバ１１１は、支払人端末１３１に所定の金額の支払要求をおこなうこととした。これにより、支払支援サーバ１１１は、支払人に支払を催促することができる。したがって、支払支援サーバ１１１によれば、幹事（受取人）がおこなう支払の連絡にかかる労力を軽減することができる。
【０２０３】
また、本実施の形態において、支払支援サーバ１１１は、支払人端末１３１へ支払要求をおこなった後に支払人端末１３１から送信された認証情報を取得することとした。これにより、支払支援サーバ１１１は、支払人端末１３１から送信された認証情報を用いた認証に成功した場合、振込を実行させることができる。したがって、支払人は、イベントが終了した後に、時間や場所を問わず、支払人端末１３１に認証情報を入力するだけで、支払手続を完了させることができ、支払手続をより簡単におこなうことができる。
【０２０４】
また、本実施の形態において、支払支援サーバ１１１は、支払要求をおこなった後、所定期間が経過するまでに、振込が実行されない場合、支払人端末１３１に再び支払要求をおこなうこととした。これにより、支払支援サーバ１１１は、支払手続をおこなわない支払人に再度支払を催促することができる。したがって、支払支援サーバ１１１によれば、幹事（受取人）がおこなう支払の催促にかかる労力を軽減することができるとともに、参加費が徴収し損なうことを防止することができる。
【０２０５】
また、本実施の形態において、支払を承諾するための支払人の認証情報は、支払人が参加登録をおこなう際の生体情報と同じ情報とした。これにより、支払支援サーバ１１１によれば、参加登録において生体情報を受け付ける端末（受取人端末１２１）と、支払の承諾において生体情報を受け付ける端末（支払人端末１３１）とが異なる場合でも、それぞれ同じ生体情報を用いることができるため、参加者と支払人とが同一人であることの信頼性を高めることができ、取引の安全性を向上させることができる。
【０２０６】
また、本実施の形態において、支払支援サーバ１１１は、生体情報に対応する口座情報を特定できない場合に、口座情報が特定されない旨を示すエラー情報を所定の端末（たとえば受取人端末１２１）に出力させることとした。これにより、支払支援サーバ１１１は、特定できない口座情報に対応する支払人については、本実施の形態にかかる支払支援方法による参加登録を拒否し、その旨を支払人に通知することができる。また、参加登録を拒否された支払人は、他の方法により参加費を支払うことができる。
【０２０７】
また、本実施の形態において、支払支援サーバ１１１は、口座情報を特定できた場合に、口座情報を特定できた旨を示す登録完了情報を所定の端末（たとえば受取人端末１２１）に出力させることとした。これにより、特定できた口座情報に対応する支払人に対して、イベントへの参加登録がおこなわれたことを通知することができる。
【０２０８】
また、本実施の形態において、支払支援サーバ１１１は、参加登録をおこなう際に生体情報に対応する支払人の氏名の情報を用いて、作成した名簿情報を所定の端末（たとえば受取人端末１２１）に出力させることとした。これにより、受取人（幹事）は、参加者の出席を確認しなくても、名簿情報を閲覧することにより、参加者や参加人数を把握することができる。このため、支払支援サーバ１１１によれば、幹事がおこなう出席の確認にかかる労力を軽減することができる。
【０２０９】
また、本実施の形態において、支払支援サーバ１１１は、支払人による支払が完了した場合に、支払が完了した旨の情報を名簿情報に付加して所定の端末（たとえば受取人端末１２１）に出力させることとした。これにより、受取人は、たとえば、受取人が自分の口座への入金の有無を個別に確認しなくても、名簿情報を確認するだけで、入金の有無を簡単に把握することができる。このため、支払支援サーバ１１１によれば、幹事がおこなう入金の有無の確認にかかる労力を軽減することができる。
【０２１０】
また、本実施の形態において、支払支援サーバ１１１は、参加登録をおこなう際に支払人の口座に、あらかじめ定めた金額がない場合に、所定の端末（たとえば受取人端末１２１）にエラー情報を出力させることとした。これにより、支払支援サーバ１１１は、支払能力がないと見込める支払人を登録させないようにすることができる。したがって、支払支援サーバ１１１によれば、参加費が徴収されないことを予防することができる。
【０２１１】
また、本実施の形態において、支払支援サーバ１１１は、イベントにおける費用の情報と、イベントに参加した支払人に関する情報とに基づいて、支払人ごとの支払額を算出することとした。これにより、支払支援サーバ１１１は、幹事がおこなう費用の算出にかかる労力を軽減することができる。また、支払支援サーバ１１１は、算出した支払人ごとの支払額の支払要求を、各支払人に対応する支払人端末１３１におこなうこととした。これにより、支払支援サーバ１１１は、幹事がおこなう支払の連絡にかかる労力を軽減することができる。
【０２１２】
また、本実施の形態において、参加登録のための生体情報の受付を、受取人端末１２１に限らず、支払人端末１３１においておこなうことも可能とした（図２２参照）。これにより、たとえば、支払支援サーバ１１１が支払人端末１３１に案内状を送信することにより、支払人は、イベントの日より前にイベント会場以外の場所で、支払人端末１３１を介して、イベントへの参加登録の手続をおこなうことができる。
【０２１３】
また、支払支援サーバ１１１によれば、支払人がイベントに参加登録したにもかかわらず、当日にいきなり欠席したとしても、当該支払人の口座情報や連絡先を特定できていることから、イベントの終了後に、当該支払人にキャンセル料などの所定の費用を請求することができる。
【０２１４】
また、支払支援サーバ１１１は、宴会等のイベントにおいて、あらかじめ支払人ごとの上限額やイベントにおける総支払額の上限額を設定しておき、これらの上限額となった場合に、受取人端末１２１や支払人端末１３１にアラームを通知することとしてもよい。具体的には、支払支援サーバ１１１は、居酒屋などのイベント会場から所定のタイミング（たとえば、参加者が注文したタイミングや所定時間の経過など）で金額の情報を受信し、その都度、現在の金額が上限額を上回っていないかを判定すればよい。
【０２１５】
支払支援サーバ１１１は、設定した上限額を超えた場合や、上限額に近付いた場合に、受取人端末１２１や支払人端末１３１にアラームを送信すればよい。これにより、参加者は、イベントにかかる費用を上限額の範囲内に抑えることができる。
【０２１６】
また、本実施の形態では、この発明の支払支援装置を、支払支援サービスを提供する会社の支払支援サーバ１１１に実現した場合について説明したが、これには限定されない。たとえば、受取人端末１２１などのスマートフォンやタブレット型ＰＣなどの機器に、この発明の支払支援プログラムにかかるアプリケーションプログラムをインストールすることにより、これらの機器によっても、この発明の支払支援装置を実現することが可能となる。
【０２１７】
たとえば、この発明の支払支援装置を受取人端末１２１によって実現した場合に、支払支援装置を実現する受取人端末１２１は、支払口座問合せ部２３０４によって、各銀行サーバ１１３に対して、受信した生体情報に一致する者の支払口座があるかに関する情報や、支払口座があるのであればその支払口座に関する情報（口座番号など）の取得要求をおこなうことにより、各支払人の支払口座を特定して、当該支払口座に関する情報を取得することができる。
【０２１８】
また、たとえば、カード会社のサーバや、銀行サーバ１１３によっても、この発明の支払支援装置を実現することも可能である。たとえば、この発明の支払支援装置を銀行サーバ１１３によって実現した場合に、支払支援装置を実現する銀行サーバ１１３は、支払口座問合せ部２３０４によって、他の銀行サーバ１１３に対し、受信した生体情報に一致する者の支払口座があるかに関する情報や、支払口座があるのであればその支払口座に関する情報の取得要求をおこなうことにより、支払人の支払口座が他の金融機関に設けられていたとしても、当該支払人の支払口座を特定して、当該支払口座に関する情報を取得することができる。
【０２１９】
さらに、クレジットカードのＡＰＩ（Ａｐｐｌｉｃａｔｉｏｎ  Ｐｒｏｇｒａｍｍｉｎｇ  Ｉｎｔｅｒｆａｃｅ）を用いて、異業種間でも各種情報を共有することが可能となる場合には、他のサーバ（たとえば、保険会社のサーバなど）によっても、この発明の支払支援装置を実現することも可能である。
【０２２０】
なお、本実施の形態で説明した支払支援方法は、あらかじめ用意されたプログラムをパーソナルコンピュータやワークステーション等のコンピュータで実行することにより実現することができる。
【０２２１】
支払支援プログラムは、ハードディスク、フレキシブルディスク、ＣＤ（Ｃｏｍｐａｃｔ  Ｄｉｓｃ）−ＲＯＭ（Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記憶媒体に記憶され、コンピュータによって記憶媒体から読み出されることによって実行される。また、支払支援プログラムは、インターネット等のネットワークを介して配布してもよい。
【産業上の利用可能性】
【０２２２】
以上のように、この発明にかかる支払支援装置、支払支援方法、および支払支援プログラムは、口座間で所定の金額を移動させる、支払支援装置、支払支援方法、および支払支援プログラムに有用であり、特に、生体情報が対応付けられる口座情報の口座から、所定の金額を移動させる、支払支援装置、支払支援方法、および支払支援プログラムに適している。
【符号の説明】
【０２２３】
１００  支払支援システム
１１１  支払支援サーバ
１１２  精算情報ＤＢ
１１３  銀行サーバ
１１４  口座情報ＤＢ
１２１  受取人端末
１３１  支払人端末
１４０  ネットワーク
２１１，２２１  ＣＰＵ
２１２，２２２  メモリ
２１３，２２５  通信ＩＦ
２２３  出力デバイス
２２４  入力デバイス
２１０，２２０  バス
５０１  第１取得部
５０２  特定部
５０３  第２取得部
５０４  実行部
５０５  作成部
５０６  要求部
５０７  出力制御部
５０８  第３取得部
５０９  算出部
２３０１，２３０２  生体情報受信部
２３０３  参加者・支払口座管理部
２３０４  支払口座問合せ部
２３０５  支払口座情報受信部
２３０６  費用情報受信部
２３０７  支払金額算出部
２３０８  支払金額送信部
２３０９  振込要求部
２３１０  振込結果受信部
２３１１  支払状況記憶部
２３５１  イベント参加意思表明用端末装置
２３５２  イベント費用入力用端末装置
２３５３  支払承認用端末装置
【図１】
2019174873.tif 000003
【図２Ａ】
2019174873.tif 000004
【図２Ｂ】
2019174873.tif 000005
【図３Ａ】
2019174873.tif 000006
【図３Ｂ】
2019174873.tif 000007
【図４】
2019174873.tif 000008
【図５】
2019174873.tif 000009
【図６】
2019174873.tif 000010
【図７】
2019174873.tif 000011
【図８】
2019174873.tif 000012
【図９Ａ】
2019174873.tif 000013
【図９Ｂ】
2019174873.tif 000014
【図１０】
2019174873.tif 000015
【図１１】
2019174873.tif 000016
【図１２】
2019174873.tif 000017
【図１３】
2019174873.tif 000018
【図１４】
2019174873.tif 000019
【図１５】
2019174873.tif 000020
【図１６】
2019174873.tif 000021
【図１７】
2019174873.tif 000022
【図１８】
2019174873.tif 000023
【図１９】
2019174873.tif 000024
【図２０】
2019174873.tif 000025
【図２１】
2019174873.tif 000026
【図２２】
2019174873.tif 000027
【図２３】
2019174873.tif 000028
【図２４】
2019174873.tif 000029